(57)【要約】【課題】非常用の照明具が常用の照明具の動作熱を受け難い照明装置を提供する。【解決手段】照明装置は、被取付部に取り付けられる照明器具と、照明器具に形成された第１空間に着脱自在に取り付けられる第１照明具と、照明器具に設けられた第２照明具と、を備え、第１照明具は、光源となる第１光源部と、第１光源部を覆い、第１光源部から発せられる光を透過させる第１発光部と、を有し、第２照明具は、光源となる第２光源部と、第２光源部を覆い、第２光源部から発せられる光を透過させる第２発光部と、第２照明具の外郭を構成し、第２発光部と共に第２光源部が収容される第２空間を形成する外郭部と、を有し、第１空間と第２空間とは、外郭部によって隔てられているものである。【選択図】図９
2020057455.tif 000002
【特許請求の範囲】
【請求項１】
被取付部に取り付けられる照明器具と、
前記照明器具に形成された第１空間に着脱自在に取り付けられる第１照明具と、
前記照明器具に設けられた第２照明具と、
を備え、
前記第１照明具は、
光源となる第１光源部と、
前記第１光源部を覆い、前記第１光源部から発せられる光を透過させる第１発光部と、
を有し、
前記第２照明具は、
光源となる第２光源部と、
前記第２光源部を覆い、前記第２光源部から発せられる光を透過させる第２発光部と、
前記第２照明具の外郭を構成し、前記第２発光部と共に前記第２光源部が収容される第２空間を形成する外郭部と、
を有し、
前記第１空間と前記第２空間とは、前記外郭部によって隔てられている照明装置。
【請求項２】
前記照明器具は、長尺状に形成されており、
前記第１照明具と、前記第２照明具とは、前記照明器具の短手方向に並んで配置されている請求項１に記載の照明装置。
【請求項３】
前記第２照明具は、
前記第１照明具が収容された収容部の外側に配置されている請求項１又は請求項２に記載の照明装置。
【請求項４】
前記第２照明具は、
前記照明器具に取り付けられている請求項１から請求項３のいずれか１項に記載の照明装置。
【請求項５】
前記外郭部は、
遮光熱伝導性の材料を用いて形成されている請求項１から請求項４のいずれか１項に記載の照明装置。
【請求項６】
前記外郭部は、
前記第１空間から前記被取付部への伝熱経路として機能し、あるいは、前記第１空間から前記第１照明具又は前記第２照明具が照らす照明空間への伝熱経路として機能する請求項１から請求項５のいずれか１項に記載の照明装置。
【請求項７】
前記外郭部は、
前記第２空間から前記被取付部への伝熱経路として機能し、あるいは、前記第２空間から前記第１照明具又は前記第２照明具が照らす照明空間への伝熱経路として機能する請求項１から請求項５のいずれか１項に記載の照明装置。
【請求項８】
前記外郭部は、
前記第２照明具に対して着脱自在に取り付けられる請求項１から請求項７のいずれか１項に記載の照明装置。
【請求項９】
前記被取付部と平行な面において、ある方向を第１方向と定義し、前記第１方向と直角な方向を第２方向と定義した場合に、
前記第１方向及び前記第２方向において、
前記第２照明具の最大寸法は、前記第１照明具の最大寸法よりも小さい請求項１から請求項８のいずれか１項に記載の照明装置。
【請求項１０】
前記照明器具は、長尺状に形成されており、
前記第１方向は、前記照明器具の長手方向であり、前記第２方向は、前記照明器具の短手方向である請求項９に記載の照明装置。
【請求項１１】
前記第１照明具は、常用の照明具として機能し、前記第２照明具は、非常用の照明具として機能する請求項１から請求項１０のいずれか１項に記載の照明装置。
【発明の詳細な説明】
【技術分野】
【０００１】
本発明は、常用の照明具と、非常用の照明具とを備えた照明装置に関するものである。
【背景技術】
【０００２】
従来、天井あるいは壁面に取り付けられる照明器具の一例として、常用の照明具と、非常用の照明具とが同一の筐体内に取り付けられた、非常灯組み込み形の照明装置が提案されている（例えば、特許文献１）。特許文献１の照明装置は、なんらかの理由で商用電源からの電力供給が停止され、常用の照明具の点灯ができない非常時において、非常用電源である蓄電池を電源として非常用の照明具を点灯させるものである。
【先行技術文献】
【特許文献】
【０００３】
【特許文献１】特許第６２３８１６２号公報
【発明の概要】
【発明が解決しようとする課題】
【０００４】
特許文献１の非常灯組み込み形照明装置は、常用光源の照明具が取り付けられる空間における長手方向の端部に非常用光源の照明具が配置されており、非常用光源の照明具は常用光源の照明具が発する動作熱の影響を受けるおそれがある。
【０００５】
本発明は、上記のような課題を解決する為になされたものであり、常用の照明具と、非常用の照明具とを有する照明装置において、非常用の照明具が常用の照明具の動作熱を受け難い照明装置を提供することを目的とする。
【課題を解決するための手段】
【０００６】
本発明に係る照明装置は、被取付部に取り付けられる照明器具と、照明器具に形成された第１空間に着脱自在に取り付けられる第１照明具と、照明器具に設けられた第２照明具と、を備え、第１照明具は、光源となる第１光源部と、第１光源部を覆い、第１光源部から発せられる光を透過させる第１発光部と、を有し、第２照明具は、光源となる第２光源部と、第２光源部を覆い、第２光源部から発せられる光を透過させる第２発光部と、第２照明具の外郭を構成し、第２発光部と共に第２光源部が収容される第２空間を形成する外郭部と、を有し、第１空間と第２空間とは、外郭部によって隔てられているものである。
【発明の効果】
【０００７】
本発明の照明装置は、第１空間である収容部と第２空間とが、外郭部によって隔てられている。照明装置は、第１光源部の動作熱によって温度が上昇する第１空間の空気が、外郭部によって隔てられているために、第２空間に移動しない。そのため、照明装置は、第２照明具が有する構成部品に対して熱的なストレスが加わらない。その結果、照明装置は、非常用照明具が常用照明具の動作熱の影響を受け難い。
【図面の簡単な説明】
【０００８】
【図１】本発明の実施の形態１に係る照明装置の第１方向斜視図である。
【図２】本発明の実施の形態１に係る照明装置の第２方向斜視図である。
【図３】本発明の実施の形態１に係る照明装置の正面図である。
【図４】本発明の実施の形態１に係る照明装置の下面図である。
【図５】本発明の実施の形態１に係る照明装置の背面図である。
【図６】本発明の実施の形態１に係る照明装置の上面図である。
【図７】本発明の実施の形態１に係る照明装置の側面図である。
【図８】本発明の実施の形態１に係る照明装置の分解斜視図である。
【図９】図４の照明装置のＡ−Ａ線断面図である。
【図１０】図１の第２照明具の第３方向斜視図である。
【図１１】図１０の第２照明具の第３方向分解斜視図である。
【図１２】図１０の第２照明具の第４方向斜視図である。
【図１３】図１２の第２照明具の第４方向分解斜視図である。
【図１４】図１３の第２光源部の分解斜視図である。
【図１５】図１３の基部に配置された電池の斜視図である。
【図１６】図４の照明装置のＢ−Ｂ線断面図である。
【図１７】図１５の電池の着脱を示す概略断面図である。
【図１８】図１６の電池の着脱を示す概略断面図である。
【図１９】図１の照明装置から第２照明具の外郭部を取り外した斜視図である。
【図２０】本発明の実施の形態１の照明装置の変形例のＢ−Ｂ線断面図である。
【図２１】本発明の実施の形態２に係る照明装置の第１方向斜視図である。
【図２２】本発明の実施の形態２に係る照明装置の第２方向斜視図である。
【図２３】本発明の実施の形態２に係る照明装置の正面図である。
【図２４】本発明の実施の形態２に係る照明装置の下面図である。
【図２５】本発明の実施の形態２に係る照明装置の背面図である。
【図２６】本発明の実施の形態２に係る照明装置の上面図である。
【図２７】本発明の実施の形態２に係る照明装置の側面図である。
【図２８】本発明の実施の形態３に係る照明装置の第１方向斜視図である。
【図２９】本発明の実施の形態３に係る照明装置の第２方向斜視図である。
【図３０】本発明の実施の形態３に係る照明装置の正面図である。
【図３１】本発明の実施の形態３に係る照明装置の下面図である。
【図３２】本発明の実施の形態３に係る照明装置の背面図である。
【図３３】本発明の実施の形態３に係る照明装置の上面図である。
【図３４】本発明の実施の形態３に係る照明装置の側面図である。
【図３５】本発明の実施の形態４に係る照明装置の第１方向斜視図である。
【図３６】本発明の実施の形態４に係る照明装置の第２方向斜視図である。
【図３７】本発明の実施の形態４に係る照明装置の正面図である。
【図３８】本発明の実施の形態４に係る照明装置の下面図である。
【図３９】本発明の実施の形態４に係る照明装置の背面図である。
【図４０】本発明の実施の形態４に係る照明装置の上面図である。
【図４１】本発明の実施の形態４に係る照明装置の側面図である。
【図４２】本発明の実施の形態５に係る照明装置の第１方向斜視図である。
【図４３】本発明の実施の形態５に係る照明装置の第２方向斜視図である。
【図４４】本発明の実施の形態５に係る照明装置の正面図である。
【図４５】本発明の実施の形態５に係る照明装置の下面図である。
【図４６】本発明の実施の形態５に係る照明装置の背面図である。
【図４７】本発明の実施の形態５に係る照明装置の上面図である。
【図４８】本発明の実施の形態５に係る照明装置の側面図である。
【図４９】図４５の照明装置のＥ−Ｅ線断面図である。
【図５０】図４２の第２照明具の第３方向斜視図である。
【図５１】図４２の第２照明具の第３方向分解斜視図である。
【図５２】図４９の第２照明具の第４方向斜視図である。
【図５３】図４９の第２照明具の第４方向分解斜視図である。
【図５４】図５１の外郭部を取り外した第２照明具の詳細な分解斜視図である。
【図５５】図５３の外郭部を取り外した第２照明具の詳細な分解斜視図である。
【図５６】図４５の照明装置のＦ−Ｆ線断面図である。
【図５７】図５６の電池の着脱を示す概略断面図である。
【発明を実施するための形態】
【０００９】
以下、本発明の実施の形態に係る照明装置１について、図面を参照して説明する。各図において同じまたは対応する構成要素には、同じ符号を付し、説明の繰り返しを省略する場合がある。ここで、以下に説明する実施の形態によって本発明が限定されるものではない。また、以下の図面では各構成部材の大きさの関係が実際のものとは異なる場合がある。また、実施の形態の説明において、上、下、左、右、前、後、表、裏といった向きあるいは位置が示されている場合がある。これらの表記は、説明の便宜上の記載であり、装置、器具、あるいは部品等の配置、方向及び向きを限定するものではない。
【００１０】
実施の形態１．
図１は、本発明の実施の形態１に係る照明装置１の第１方向斜視図である。図２は、本発明の実施の形態１に係る照明装置１の第２方向斜視図である。図３は、本発明の実施の形態１に係る照明装置１の正面図である。図４は、本発明の実施の形態１に係る照明装置１の下面図である。図５は、本発明の実施の形態１に係る照明装置１の背面図である。図６は、本発明の実施の形態１に係る照明装置１の上面図である。図７は、本発明の実施の形態１に係る照明装置１の側面図である。図８は、本発明の実施の形態１に係る照明装置１の分解斜視図である。図１〜図８を参照して、実施の形態１に係る照明装置１の構成を説明する。
【００１１】
以下の説明において、照明装置１の長手方向に沿った方向を長手方向（Ｘ軸方向）とする。また、長手方向（Ｘ軸方向）に直交し、長手方向（Ｘ軸方向）に対する短手方向を短手方向（Ｙ軸方向）とする。そして、長手方向（Ｘ軸方向）及び短手方向（Ｙ軸方向）のいずれとも直交する方向を上下方向（Ｚ軸方向）とする。さらに、上下方向（Ｚ軸方向）において、照明装置１が取り付けられる天井あるいは壁等の被取付部９側への向きを上向きＺ１とする。そして、上向きＺ１と反対側への向きであり照明装置１から光が照射される照明空間側への向きを下向きＺ２とする。なお、上向きＺ１は、第１照明具２０が照明器具１０に取り付けられる向きでもあり、下向きＺ２は、第１照明具２０が照明器具１０から取り外される向きでもある。また、図１の第１方向は、照明装置１の短手方向（Ｙ軸方向）において、第２照明具３０が設けられていない側の下方から照明装置１を見た方向である。また、図２の第２方向は、照明装置１の短手方向（Ｙ軸方向）において、第２照明具３０が設けられている側の下方から照明装置１を見た方向である。
【００１２】
＜照明装置１＞
照明装置１は、照明空間を照明できる位置に設置され、照明空間を照らすものである。照明空間とは、照明装置１が設置される下方の空間、たとえば居住空間、倉庫等の空間、ビルあるいは公共施設などの空間、エレベータあるいは廊下等の共有空間、または、電車や船舶などの乗り物内の空間等を意味している。実施の形態１では、照明装置１は、いわゆるＶ形（１５０ｍｍ幅）の照明装置１を例として示す。なお、実施の形態１における照明装置１は、いわゆるＶ形タイプの照明装置を例示して説明するが、照明装置１はＶ形タイプの照明装置１に限定されるものではない。照明装置１は、例えば、いわゆる笠付タイプ、片側反射笠付タイプ、トラフタイプ等、他の形態のものを採用することができる。
【００１３】
照明装置１は、天井あるいは壁等の被取付部９に取り付けられる長尺状の照明器具１０と、照明器具１０に対して着脱自在に取り付けられる長尺状の第１照明具２０と、照明器具１０に設けられた第２照明具３０と、を備えている。照明装置１は、第１照明具２０と、第２照明具３０とが、短手方向（Ｙ軸方向）に並んで配置されている。ここで、被取付部９と平行な面において、ある方向を第１方向と定義し、第１方向と直角な方向を第２方向と定義した場合に、図３から図７に示すように、第１方向及び第２方向において、第２照明具３０の最大寸法は、第１照明具２０の最大寸法よりも小さい。照明器具１０は、長尺状に形成されており、第１方向は、照明器具１０の長手方向（Ｘ軸方向）であり、第２方向は、照明器具１０の短手方向（Ｙ軸方向）である。
【００１４】
［照明器具１０］
照明器具１０は、図８に示すように、器具本体部１１と、器具端部１２と、器具側連結具１３と、器具側端子台１４と、器具側固定具１５と、器具側電力線１６と、を有する。
【００１５】
（器具本体部１１）
器具本体部１１は、照明器具１０の外郭を構成する筐体である。器具本体部１１は、ボルト等の固定具を用いられて被取付部９に取り付けられる。器具本体部１１は、器具底部１１０と、器具側部１１１と、器具傾斜部１１４と、器具側縁部１１７と、を有する。器具底部１１０と、器具側部１１１と、器具傾斜部１１４と、器具側縁部１１７とは、例えば、金属製の板材を折り曲げて一体に形成されている。ただし、器具本体部１１は、金属製の板材の折り曲げから形成されるものに限定されるものではなく、例えば、樹脂、セラミック等、他の材料を用いて形成されてもよく、また、押出成形、積層造形等、他の方法で形成されてもよい。また、器具底部１１０と、器具側部１１１と、器具傾斜部１１４と、器具側縁部１１７とは、一体に形成されているものに限定されるものではなく、これらの部材が互いに確実に固定されていれば別体で形成されてもよい。
【００１６】
器具底部１１０は、器具本体部１１の長手方向（Ｘ軸方向）に沿って長尺且つ矩形状に形成された板状の部材である。器具側部１１１は、器具底部１１０の短手方向（Ｙ軸方向）の両端部の側件から立ち上がる一対の側壁であり、器具本体部１１の長手方向（Ｘ軸方向）に沿って長尺且つ矩形状に形成された板状の部材である。器具底部１１０には、図８に示すように、ネジ孔１１３が形成されている。ネジ孔１１３には、図６に示すように、第２照明具３０を器具本体部１１に固定するためのネジあるいはリベット等の第２照明具固定具８０が装着される。器具側部１１１には、図８に示すように通線孔１１２が形成されている。通線孔１１２は、器具側部１１１に形成された貫通孔である。通線孔１１２には、後述する第１照明具２０の点灯装置である電源部２３から第２照明具３０へ電力を供給する経路となる電源線が挿通される。
【００１７】
器具本体部１１は、器具底部１１０と、器具側部１１１と、後述する器具端部１２の端板１２０とによって凹形状に形成された収容部１８を形成する。収容部１８は、照明器具１０に形成された第１空間である。収容部１８は、器具底部１１０によって底面部が構成され、器具側部１１１によって長手方向に延びる側壁部が構成され、端板１２０によって短手方向に延びる側壁部が構成される。この収容部１８には、第１照明具２０が着脱自在に取り付けられ、第１照明具２０の一部が収容される。すなわち、第１空間は、第１照明具２０の収容空間である。
【００１８】
器具傾斜部１１４は、器具本体部１１の短手方向（Ｙ軸方向）において収容部１８の両側に対に設けられている傾斜壁である。器具傾斜部１１４は、被取付部９の取付面に対して傾斜するように形成されている。対の器具傾斜部１１４は、器具側縁部１１７の長手側辺のそれぞれから、上側（Ｚ１側）へ且つ収容部１８から離れるように形成されている。すなわち、器具傾斜部１１４は、器具本体部１１の上下方向（Ｚ軸方向）において被取付部９側の端部同士の間隔が、照明空間側の端部同士の間隔よりも広くなるように傾斜している。照明装置１は、短手方向（Ｙ軸方向）において、対の器具傾斜部１１４の間に収容部１８が形成されている。器具傾斜部１１４は、傾斜面を形成しており、光源から発せられる光を照明空間に向けて反射してもよい。
【００１９】
器具側縁部１１７は、器具本体部１１の短手方向（Ｙ軸方向）において収容部１８の両側に対に設けられている収容部１８の縁部である。器具側縁部１１７は、器具側部１１１と器具傾斜部１１４との間に形成されている。器具側縁部１１７は、器具側部１１１の器具底部１１０と反対側の先端部に形成されており、対の器具側部１１１のそれぞれの先端部から互いに離れるように対に形成されている。器具側縁部１１７は、器具本体部１１の下面部を構成する。
【００２０】
収容部１８を挟んで器具本体部１１の短手方向（Ｙ軸方向）の一方の側に形成されている器具傾斜部１１４及び器具側縁部１１７には、貫通孔である器具貫通部１１５が形成されている。器具貫通部１１５は、器具本体部１１の長手方向（Ｘ軸方向）の中央部に形成されている。器具貫通部１１５は、図４に示すように、照明空間側から被取付部９を見た平面視において、器具本体部１１に矩形状に形成されている。この器具貫通部１１５には、後述する第２照明具３０が挿通され、第２照明具３０は、器具傾斜部１１４及び器具側縁部１１７から照明空間側に突出するように器具貫通部１１５に配置される。そのため、器具貫通部１１５は、後述する第２照明具３０の外郭部４２の形状と寸法とに対応して形成されていればよく、照明空間側から被取付部９を見た平面視において、矩形状に形成されている形状に限定されるものではない。器具貫通部１１５は、外郭部４２の着脱口あるいは脱着口として機能する。
【００２１】
（器具端部１２）
器具端部１２は、器具本体部１１の長手方向（Ｘ軸方向）の両端部に配置される。器具端部１２は、器具本体部１１の長手方向（Ｘ軸方向）の端部を覆う端板１２０を有する。端板１２０は、器具本体部１１の短手方向（Ｙ軸方向）に延びる器具本体部１１の側壁を構成する。そして、器具端部１２の端板１２０は、器具傾斜部１１４及び器具側縁部１１７の長手方向（Ｘ軸方向）の端部に配置され、器具本体部１１の器具傾斜部１１４及び器具側縁部１１７と共に照明器具１０の外郭を構成する。
【００２２】
端板１２０には、端板１２０を構成する壁部の一部が取り外されることで端板１２０に貫通穴を形成するノックアウト部１２１が形成されている。ノックアウト部１２１は、端板１２０にノックアウト加工が施された部分であり、例えば、たたくことにより、あるいは、切り取ることにより、現場で簡単に穴をあけることができる部分である。ノックアウト部１２１は、例えば、端板１２０から切り取られる壁の周縁に沿ってミシン目のように複数の貫通孔が連続して形成されている。ノックアウト加工の形態は、複数の連続した貫通孔に限定されるものではなく、他の形態で端板１２０にノックアウト加工を施してもよい。また、ノックアウト部１２１は、ノックアウト加工により端板１２０から取り外し可能に設けられているが、ノックアウト部１２１は、ノックアウト加工以外にも爪による係合、あるいは、接着等で端板１２０から取り外しができるように設けられてもよい。ノックアウト部１２１によって形成される貫通孔には、例えば、送り配線用の電線等が挿通される。
【００２３】
（器具側連結具１３及び器具側固定具１５）
器具側連結具１３は、第１照明具２０を照明器具１０に対して着脱自在に連結するための連結機構を構成する。器具側連結具１３は、第１照明具２０が照明器具１０に取り付けられている状態において、第１照明具２０を保持する。器具側連結具１３は、板バネであって、例えば、ステンレス材料や、バネ鋼材などの弾性部材で形成される。なお、器具側連結具１３は、板材の弾性材料を曲げて形成してもよく、線材の弾性材料を曲げて形成してもよい。器具側連結具１３は、第１照明具２０の照明具側連結具（図示は省略）と係合する。器具側連結具１３は、図８に示すように、器具底部１１０に２つ取り付けられており、収容部１８を構成する器具底部１１０の長手方向（Ｘ軸方向）に沿って配置されている。器具側連結具１３は、器具底部１１０の長手方向（Ｘ軸方向）において、中央部に対して端部側に配置されている。また、対になる器具側連結具１３は、バネの先端が互いに反対方向を向くように器具底部１１０に配置されている。器具側固定具１５は、器具側連結具１３を器具本体部１１に固定するための部材であり、例えばネジである。
【００２４】
（器具側端子台１４）
器具側端子台１４は、外部から器具本体部１１に引き込まれた外部電源（図示は省略）と接続し、商用電源から供給される電力を第１照明具２０に供給する。器具側端子台１４は、器具本体部１１の器具底部１１０に取り付けられ、器具底部１１０に固定される。器具側端子台１４には、外部電源から電力の供給を受けるための外部電線（図示は省略）が接続される。また、器具側端子台１４には、後述する第１照明具２０の電源部２３へ電力を供給するための器具側電力線１６が接続される。
【００２５】
（器具側電力線１６）
器具側電力線１６は、器具本体部１１と第１照明具２０とを接続する電線部１６０を有する。器具側電力線１６の電線部１６０は、一端が器具側端子台１４に接続されており、他端には第１照明具２０の電源側電力線（図示は省略）と接続するためのコネクタ１６１が設けられている。
【００２６】
［第１照明具２０］
図９は、図４の照明装置１のＡ−Ａ線断面図である。図１、図４、図８及び図９を参照して第１照明具２０の各部の構成を説明する。第１照明具２０は、常用の照明具であり、通常時に照明装置１の外部から器具側端子台１４を介して光源となる第１光源部２１に電力が供給されるものである。なお、通常時とは、照明装置１の外部から照明装置１に商用電源等の電力が供給されている状態のことをいう。また、非常時とは、例えば停電等なんらかの理由で照明装置１の外部から照明装置１に電力が供給されない状態のことをいう。通常時に、照明装置１が点灯状態である場合には、照明装置１は、第１照明具２０から光を照射し、照明空間を照らす。
【００２７】
第１照明具２０は、図４に示すように、照明器具１０に取り付けられることによって照明装置１を構成する。第１照明具２０は、長尺状に形成されており、照明器具１０の器具本体部１１に装着されて使用される。第１照明具２０は、器具本体部１１の収容部１８に一部が収容され、器具本体部１１に着脱自在に取り付けられる。第１照明具２０は、図９に示すように、第１光源部２１と、第１透光部２２と、電源部２３と、支持部２４と、を有する。また、第１照明具２０は、器具側連結具１３と係合する照明具側連結部（図示は省略）を備えている。この照明具側連結部は、器具側連結具１３と共に第１照明具２０を器具本体部１１に対して着脱自在に連結するための連結機構を構成する。
【００２８】
（第１光源部２１）
第１光源部２１は、光源であり光を発するものである。第１光源部２１は、第１点灯装置から供給される第１点灯電力によって点灯する。第１点灯装置は、後述する電源部２３である。第１光源部２１は、第１透光部２２が支持部２４に取り付けられた状態において、第１透光部２２と支持部２４とに囲まれた空間内に配置されている。第１光源部２１は、長尺に形成されており、図９に示すように、第１光源素子２１１と、第１光源素子２１１が実装される第１光源基板２１０と、を有している。また、第１光源部２１の長手方向（Ｘ軸方向）の一端部には、後述する電源部２３との間を電気的に接続するための電線（図示は省略）が接続されている。
【００２９】
第１光源素子２１１は、電力の供給を受けて発光する。本実施の形態では、第１光源素子２１１として、発光ダイオード（Ｌｉｇｈｔ  Ｅｍｉｔｔｉｎｇ  Ｄｉｏｄｅ；以下、ＬＥＤと称す）素子を用いている。複数の第１光源素子２１１は、第１光源基板２１０の実装面において、長手方向（Ｘ軸方向）に沿って、一列に配置されている。なお、第１光源基板２１０における、第１光源素子２１１の配置は、一列に配置される態様に限定されるものではなく、例えば、複数の列状に配置されてもよく、あるいは、千鳥状等に配置されてもよい。また、第１光源素子２１１は、ＬＥＤの代わりに、例えば、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）又は無機ＥＬ等が用いられてもよい。第１光源基板２１０は、長尺に形成されており、第１照明具２０の長手方向（Ｘ軸方向）に延びる板状の部材である。第１光源基板２１０には、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板等が用いられる。
【００３０】
（第１透光部２２）
第１透光部２２は、第１光源部２１によって発せられた光が入光して、この光を透過させて照射するものであり、少なくとも可視光を透過する透光性の材料で形成されている。第１透光部２２の材料は、例えば、乳白の樹脂材料でもよく、拡散材が混ぜられた樹脂材料でもよい。第１透光部２２は、例えば、ポリカーボネイト、アクリル等の樹脂材料等を用いて形成することができる。第１透光部２２は、第１光源部２１を覆うように長尺に形成され、後述する支持部２４の側端に取り付けられる。第１透光部２２は、主部２２０と、取付部２２１と、蓋部２２６と、を有する。
【００３１】
主部２２０は、第１発光部であり、第１光源部２１を覆い、第１光源部２１から発せられる光を透過させる。主部２２０は、第１透光部２２の一部であり、第１透光部２２が支持部２４に取り付けられた状態において、第１光源部２１を覆い、第１光源部２１と対向する。そのため、主部２２０は、第１透光部２２において、第１光源部２１によって発せられた光が入光して、この光を透過させて照射する部分である。第１光源部２１から発せられた光は、第１透光部２２の内面部を構成する第１入射部２２２から入射し、第１透光部２２の外面部を構成する第１出射部２２３から外部に向けて出射される。主部２２０は、長手方向（Ｘ軸方向）に対する垂直断面において、図９に示すように下端部が円弧形状に形成されている。主部２２０は、長手方向（Ｘ軸方向）に対する垂直断面において、図９に示すように下端部が円弧形状に形成されている形状に限定されるものではなく、主部２２０の断面形状は他の形状であってもよい。例えば、主部２２０は、長手方向（Ｘ軸方向）に対する垂直断面において、直線状部分又は曲線状部分を有してもよく、あるいは、直線状部分及び曲線状部分の両方を有してもよい。主部２２０の表面は、１つの平面から形成される平面形状又は複数の平面から形成される多面体形状であってもよく、単数又は複数の曲面から形成される形状であってもよい。
【００３２】
取付部２２１は、第１透光部２２において、支持部２４と係合する部分である。取付部２２１は、第１透光部２２の短手方向（Ｙ軸方向）において、中央部に対して端部側に設けられている。取付部２２１は、第１透光部２２の短手方向（Ｙ軸方向）において、対に設けられている。取付部２２１は、主部２２０から上方に突出するように形成されており、第１照明具２０が照明器具１０に取り付けられている状態において、上下方向（Ｚ軸方向）に延びるように形成されている。取付部２２１は、上下方向（Ｚ軸方向）において、取付部２２１の一端が主部２２０と連続しており、取付部２２１の他端が、短手方向（Ｙ軸方向）の中央側に向かって鉤状に曲折している。この取付部２２１の端部に形成された鉤状の部分が、立設部２４１に引っ掛かることにより第１透光部２２が支持部２４と係合して支持部２４に取り付けられる。なお、取付部２２１は、立設部２４１と係合する構造であれば他の形状であってもよい。また、取付部２２１は、第１透光部２２の長手方向（Ｘ軸方向）に沿って連続して形成してもよく、第１透光部２２の長手方向（Ｘ軸方向）に沿って間隔をあけて形成してもよい。
【００３３】
蓋部２２６は、第１透光部２２の長手方向（Ｘ軸方向）における端部に配置され、第１透光部２２の長手方向（Ｘ軸方向）の端部に形成された開口を塞ぐと共に、第１光源部２１が照射する光を長手方向（Ｘ軸方向）へ配光するものである。蓋部２２６は、アクリル樹脂など透過性及び拡散性を有する材料により形成されており、主部２２０と接着剤による接着あるいは熱溶着等の接合手段により接合されている。なお、実施の形態１では、蓋部２２６は、主部２２０及び取付部２２１と別体の構成であるが、蓋部２２６は、主部２２０及び取付部２２１と一体に形成されてもよい。なお、蓋部２２６は、第１光源部２１が照射する光を長手方向（Ｘ軸方向）へ配光するものに限定されるものではなく、第１光源部２１が照射する光を遮光するものであってもよい。
【００３４】
（電源部２３）
電源部２３は、器具側端子台１４を介して外部から供給される電力を第１光源部２１に供給し、第１光源素子２１１を点灯させるものである。電源部２３は、照明装置１の第１点灯装置である。電源部２３は、図９に示すように、支持部２４において、第１光源部２１が取り付けられた面の反対側の面に電源側固定具（図示は省略）によって固定される。電源側固定具は、例えば、ネジ、ネジ及びナット、または、リベット等である。電源部２３は、略直方体形状をしたケース２３０と、このケース２３０の内部に収容された電源基板及び電源基板に実装された電源回路部品（図示は省略）と、を有している。また、電源部２３は、第１光源部２１と接続する電源側電力線（図示は省略）を有している。
【００３５】
（支持部２４）
支持部２４は、第１照明具２０を照明器具１０に取り付けるための照明具側連結具（図示は省略）が設けられる部材であると共に、第１光源部２１、第１透光部２２、及び、電源部２３が取り付けられる部材である。支持部２４は、図９に示すように、長手方向（Ｘ軸方向）に沿って長尺且つ矩形の板状に形成された基部２４０と、基部２４０の短手方向（Ｙ軸方向）の両端部から立ち上がる立設部２４１と、を有する。また、支持部２４は、基部２４０に対して立設部２４１の立ち上がる側に突出する板状に形成された電源部配置部２４２を有する。支持部２４は反射部材で形成されているが、反射塗料を用いてもよく、基材に反射部材を配置してもよい。
【００３６】
基部２４０は、上述のように長尺の板状に形成されており、一方の板面側には電源部２３及び照明具側連結具（図示は省略）が配置され、他方の板面側の壁部には、第１光源部２１が取り付けられる。立設部２４１は、第１照明具２０が照明器具１０に取り付けられている状態において、基部２４０から上方向（Ｚ１方向）に延びるように形成されている。また、立設部２４１は、基部２４０の長手方向（Ｘ軸方向）に沿って形成されている。立設部２４１は、上下方向（Ｚ軸方向）において、立設部２４１の一端が基部２４０と連続しており、立設部２４１の他端は、縁部が丸められており、短手方向（Ｙ軸方向）の中央側に向かって円弧状に曲折している。この立設部２４１の端部に第１透光部２２の取付部２２１が引っ掛かることにより、第１透光部２２が支持部２４と係合して支持部２４に取り付けられる。電源部配置部２４２は、第１照明具２０が照明器具１０に取り付けられている状態において、基部２４０よりも上側（Ｚ１側）に位置する板状の部分である。すなわち、基部２４０と、電源部配置部２４２の仮想の延長面とは平行である。電源部配置部２４２は、基部２４０の短手方向（Ｙ軸方向）において、基部２４０の中央部に形成されている。電源部配置部２４２には、電源部２３が配置される。
【００３７】
［第２照明具３０］
図１〜図９を参照して第２照明具３０の概要について説明する。第２照明具３０は、非常用の照明具であり、例えば停電等なんらかの理由で照明装置１の外部から照明装置１に電力が供給されない非常時に光を照射し、照明空間を照らす。
【００３８】
第２照明具３０は、照明器具１０に取り付けられており、第１照明具２０と共に照明装置１を構成する。第２照明具３０は、照明器具１０の短手方向（Ｙ軸方向）において、収容部１８の外側に配置されている。第２照明具３０は、長尺状に形成されており、照明器具１０の長手方向（Ｘ軸方向）に沿って取り付けられている。また、第２照明具３０は、照明器具１０の長手方向（Ｘ軸方向）の中央部に設けられている。第２照明具３０は、照明器具１０の短手方向（Ｙ軸方向）において、第１照明具２０と並んで配置されている。そして、第２照明具３０は、照明空間側から被取付部９を見た平面視において、照明器具１０内に第１照明具２０の長手方向と第２照明具３０の長手方向とが平行になるように配置されている。第２照明具３０は、器具傾斜部１１４に形成された器具貫通部１１５から突出するように設けられている。
【００３９】
図１０は、図１の第２照明具３０の第３方向斜視図である。図１１は、図１０の第２照明具３０の第３方向分解斜視図である。図１２は、図１０の第２照明具３０の第４方向斜視図である。図１３は、図１２の第２照明具３０の第４方向分解斜視図である。図１４は、図１３の第２光源部３１の分解斜視図である。図９〜図１４を用いて第２照明具３０の構成について更に詳細に説明する。なお、図１０及び図１１の第３方向は、照明装置１の短手方向（Ｙ軸方向）において、照明装置１の外側から内側に向かって、かつ、照明空間側から被取付部９側に向かって照明装置１を見た場合の第２照明具３０の斜視図である。また、図１２及び図１３の第４方向は、照明装置１の短手方向（Ｙ軸方向）において、照明装置１の内側から外側に向かって、かつ、照明空間側から被取付部９側に向かって照明装置１を見た場合の第２照明具３０の斜視図である。また、図１０〜図１４では、第２照明具３０を説明する紙面上の上下方向（Ｚ軸方向）が、図１の照明装置１の紙面上の上下方向（Ｚ軸方向）と反対に示されている。また、図１１及び図１３においては、電池７０が取り外されている状態の第２照明具３０を示している。第２照明具３０は、図１３〜図１５に示すように、第２光源部３１と、制御部３４と、操作部３６と、絶縁部３８と、筐体部４０と、保持部材５０と、電池７０と、第２照明具固定具８０と、吊紐６０と、を有する。
【００４０】
（第２光源部３１）
第２光源部３１は、非常時用の光源であり光を発するものである。第２光源部３１は、第２点灯装置から供給される第２点灯電力によって点灯する。第２点灯装置は、後述する制御部３４である。第２光源部３１は、図１０及び図１２に示すように、第２透光部３１２等の一部の構成が筐体部４０から露出した状態で筐体部４０内に収容されている。第２光源部３１は、外郭部４２が台座部４４に取り付けられている状態では、台座部４４と外郭部４２との間に配置されている。第２光源部３１は、図１４に示すように、第２光源基板３１０と、第２発光素子３１１と、第２透光部３１２と、保持部３１７と、第２光源部固定具３２７と、を有する。
【００４１】
第２光源基板３１０は、板状の部材であり、第２発光素子３１１を実装する。第２光源基板３１０には、例えば、ガラス−エポキシ基板（ＦＲ−４）、ガラス−コンポジット基板（ＣＥＭ−３）、紙エポキシ基板（ＦＲ−３）、紙フェノール基板（ＸＰＣ）、金属ベース基板等が用いられる。
【００４２】
第２発光素子３１１は、電力の供給を受けて発光する。本実施の形態では、第２発光素子３１１として、発光ダイオード（Ｌｉｇｈｔ  Ｅｍｉｔｔｉｎｇ  Ｄｉｏｄｅ；以下、ＬＥＤと称す）素子を用いている。複数の第２発光素子３１１は、第２光源基板３１０の実装面において、長手方向（Ｘ軸方向）に沿って、２つ配置されている。なお、第２発光素子３１１の数は、２つに限らず、１つ又は３つ以上であってもよい。なお、第２光源基板３１０における、第２発光素子３１１の配置は、長手方向（Ｘ軸方向）に配置される態様に限定されるものではなく、例えば、短手方向（Ｙ軸方向）に配置されてもよく、長手方向又は短手方向に対して斜めに配置されてもよい。第２発光素子３１１は、ＬＥＤの代わりに、例えば、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（Ｅｌｅｃｔｒｏ  Ｌｕｍｉｎｅｓｃｅｎｃｅ）又は無機ＥＬ等が用いられてもよい。
【００４３】
第２透光部３１２は、第２発光素子３１１によって発せられた光が入光して、この光を透過させて照射するものであり、少なくとも可視光を透過する透光性の材料で形成されている。第２透光部３１２は、例えば、樹脂材料、あるいは、ガラス材料等を用いて形成することができる。第２透光部３１２は、長円形状に形成されている。第２透光部３１２は、２つのレンズ部３１３と、第２透光部３１２の縁部を形成する取付部３１６と、を有する。
【００４４】
レンズ部３１３は、第２発光部であり、第２光源部３１を覆い、第２光源部３１から発せられる光を透過させる。レンズ部３１３はまた、第２発光素子３１１から発せられる光の配光を制御する。レンズ部３１３は、第２透光部３１２が保持部３１７に取り付けられた状態において、図９に示すように、第２発光素子３１１を覆う。ここで図９に示す、点線Ｌｔ１は、レンズ部３１３の照射側の先端部の位置と、第１照明具２０を構成する第１透光部２２の、主部２２０の照射側の先端部の位置とを比較した線である。また、点線Ｌｔ２は、レンズ部３１３の取付位置と、第１照明具２０を構成する第１透光部２２の主部２２０の取付位置とを比較した線である。照明装置１は、点線Ｌｔ２から解るように、レンズ部３１３の設置位置は、第１照明具２０の主部２２０の設置位置よりも照明空間側に配置されている。すなわち、被取付部９の設置面を基準としてレンズ部３１３は、主部２２０よりも高い位置に配置されている。また、照明装置１は、点線Ｌｔ１から解るように、レンズ部３１３の照射側の先端部と被取付部９の設置面との間の距離と、第１照明具２０の主部２２０の照射側の先端部と被取付部９の設置面との間の距離は略等しい。なお、照明装置１は、第１照明具２０の主部２２０と第２照明具３０のレンズ部３１３との間に隔壁が設けられていればよく、レンズ部３１３と主部２２０との位置関係は上述の位置関係に限定されるものではない。レンズ部３１３の内面部を構成する第２入射部３１４は、図９に示すように、第２発光素子３１１と対向する。第２発光素子３１１から発せられた光は、レンズ部３１３の第２入射部３１４から入射し、レンズ部３１３の外面部を構成する第２出射部３１５から外部に向けて出射される。そのため、レンズ部３１３の第２出射部３１５は、第２光源部３１の発光部となる。取付部３１６は、図１４に示すように、レンズ部３１３の周辺に形成された鍔部である。取付部３１６は、第２透光部３１２を保持部３１７に取り付ける際に保持部３１７の装着ガイド３２１によってガイドされ、保持部３１７の保持突起３２０と係合する。
【００４５】
保持部３１７は、第２光源基板３１０とレンズ部３１３とを後述する台座部４４に固定するためのものである。保持部３１７は、保持主部３１８と、保持副部３２４と、接続部３２６と、を有する。
【００４６】
保持主部３１８は、板状に形成されており、レンズとして機能する第２透光部３１２が装着される台座となる。保持主部３１８は、装着された第２透光部３１２を係止する保持突起３２０を有する。保持突起３２０は、保持主部３１８から立ち上がる側壁３１８ａに設けられ、側壁３１８ａから内側に張り出す張り出し部である。保持突起３２０は、保持主部３１８と共に第２透光部３１２を上下方向（Ｚ軸方向）から挟むことによって第２透光部３１２を係止する。第２透光部３１２は、保持突起３２０によって保持主部３１８のレンズ保持部３１９に配置される。保持部３１７は、レンズ保持部３１９と、保持突起３２０との間に装着ガイド３２１を形成する。装着ガイド３２１は、レンズ保持部３１９と、保持突起３２０との間に形成された溝である。装着ガイド３２１は、第２透光部３１２を保持部３１７に取り付ける際に第２透光部３１２の取付部３１６と嵌合し、装着される第２透光部３１２のスライドをガイドする。保持主部３１８には、貫通孔３２２が形成されている。貫通孔３２２は、第２発光素子３１１の実装範囲の上方に位置するように形成されている。保持主部３１８に取り付けられた第２透光部３１２は、貫通孔３２２を介してレンズ部３１３と第２発光素子３１１とが対向する。そのため、第２発光素子３１１から発せられる光は、貫通孔３２２を介してレンズ部３１３に到達する。保持主部３１８には、更に、主部ネジ孔３２３が形成されている。主部ネジ孔３２３は、レンズ保持部３１９を間にして保持主部３１８の２箇所に形成されている。主部ネジ孔３２３は、第２光源部３１を台座部４４に固定するための第２光源部固定具３２７を挿通させる孔である。２箇所に形成されている主部ネジ孔３２３のうち、１つの主部ネジ孔３２３は、保持副部３２４に形成されている副部ネジ孔３２５と重なり、副部ネジ孔３２５と連通する。
【００４７】
保持副部３２４は、板状に形成された部材であり、レンズ保持部３１９に配置された第２透光部３１２が、装着ガイド３２１から抜け出ないように第２透光部３１２を係止するものである。保持副部３２４はまた、第２透光部３１２が装着ガイド３２１内でガタ付かないように第２透光部３１２を固定する。保持副部３２４には、副部ネジ孔３２５が形成されている。副部ネジ孔３２５は、第２光源部３１を台座部４４に固定するための第２光源部固定具３２７を挿通させる孔である。副部ネジ孔３２５は、保持主部３１８に形成されている主部ネジ孔３２３と重なり、主部ネジ孔３２３と連通する。
【００４８】
接続部３２６は、保持主部３１８と保持副部３２４とを連結する部分である。実施の形態１では、接続部３２６は、保持主部３１８と保持副部３２４とが接続されて１つの部品として構成されている。
【００４９】
第２光源部固定具３２７は、第２光源部３１を台座部４４に固定する部材である。第２光源部固定具３２７は、例えばネジ、リベット等である。第２光源部固定具３２７は、保持主部３１８に形成された主部ネジ孔３２３と、保持副部３２４に形成された副部ネジ孔３２５とに挿通される。
【００５０】
（制御部３４）
次に、図１３を参照して制御部３４について説明する。制御部３４は、第２光源部３１を点灯させるものであり、第２光源部３１の点灯に関する制御を行うものである。制御部３４は、照明装置１の第２点灯装置である。制御部３４はまた、第２光源部３１の点検動作を行うものであり、第２光源部３１の点検動作の制御を行うものである。制御部３４はまた、後述する電池７０を有し、電池７０の蓄電を行うものであり、電池７０の蓄電に関する制御を行うものである。例えば、制御部３４は、電池７０の蓄電と、電池７０の放電とを切り替える制御を行う。
【００５１】
制御部３４は、制御基板３４０と、制御回路部品３４１と、を有し、蓄電回路、放電回路、及び制御回路等を構成する。制御基板３４０は、板状の部材であり、制御回路部品３４１を実装する。制御回路部品３４１は、例えば、プログラムを記憶する記憶装置と、プログラムを実行するＣＰＵ（Ｃｅｎｔｒａｌ  Ｐｒｏｃｅｓｓｉｎｇ  Ｕｎｉｔ）と、等を有する。
【００５２】
制御部３４はまた、ケース３４２と、制御部固定具３４６と、を有する。ケース３４２は、箱状に形成されており、制御基板３４０を内部に収容する。ケース３４２は、第１ケース３４３と、第２ケース３４５と、を有する。第１ケース３４３は、いわゆるボトムケースであり、制御基板３４０が取り付けられる器である。第１ケース３４３は、板状に形成されたケース底壁３４３ａと、ケース底壁３４３ａから互いに対向するように立ち上がる対のケース側壁３４３ｂと、を有する。第１ケース３４３のケース底壁３４３ａには、ネジ孔３４４が形成されている。このネジ孔３４４は、制御部３４を台座部４４及び基部４１に固定するための制御部固定具３４６を挿通させる孔である。第２ケース３４５は、いわゆるアッパーケースであり、第１ケース３４３の上方を覆う蓋である。すなわち、第２ケース３４５は、制御部３４において、第１ケース３４３に取り付けられた制御基板３４０の上方を覆う。制御部固定具３４６は、制御部３４を台座部４４及び基部４１に固定する。制御部固定具３４６は、例えば、ネジ、ナット、リベット等である。
【００５３】
（操作部３６）
次に、図１３を参照して操作部３６について説明する。操作部３６は、照明装置１の点検に利用される。操作部３６は、操作面部３６０と、操作部固定具３６３と、を有する。操作面部３６０は、作業者によって操作される操作ボタン３６１と、表示灯３６２と、を有する。表示灯３６２は、例えばいわゆるインジケータとして通電状態を表示する。操作部固定具３６３は、操作部３６を台座部４４に固定する。操作部固定具３６３は、例えば、ネジ、ナット、リベット等である。
【００５４】
（絶縁部３８）
次に、図１４を参照して絶縁部３８について説明する。絶縁部３８は、板状の部材であり、絶縁シートである。絶縁部３８は、第２照明具３０内において、第２光源部３１の第２光源基板３１０と、後述する台座部４４の第２光源部取付部４４０との間に配置される。絶縁部３８は、第２光源部３１の第２光源基板３１０と、台座部４４の第２光源部取付部４４０と、を電気的に絶縁する。絶縁部３８には、絶縁部ネジ孔３８０が形成されている。絶縁部ネジ孔３８０は、２箇所に形成されている。絶縁部ネジ孔３８０は、第２光源部３１を台座部４４に固定するための第２光源部固定具３２７を挿通させる孔である。第２光源部３１の保持主部３１８が台座部４４の第２光源部取付部４４０に固定されることで、絶縁部３８もまた台座部４４の第２光源部取付部４４０に固定される。
【００５５】
（筐体部４０）
次に、図９〜図１４を参照して、第２照明具３０の筐体部４０について説明する。筐体部４０は、第２照明具３０の外郭を構成する。筐体部４０は、図１０及び図１１に示すように、外郭部４２及び基部４１によって箱状に形成されており、図９に示すように内部に第２空間４５を形成する。筐体部４０が形成する第２空間４５には、第２光源部３１と、制御部３４と、操作部３６と、絶縁部３８と、が収容される。また、筐体部４０は、第２光源部３１を覆い、第２光源部３１から発せられる光を透過させるレンズ部３１３と共に、第２光源部３１と制御部３４とが収容される第２空間４５を形成する。第２照明具３０は、図１０及び図１２に示すように、第２光源部３１等の光学系全体を収納する筐体部４０で覆われており、レンズ部３１３と外郭部固定具４３２とが露出する形となるが、どちらも筐体部４０の外表面４２０ａよりも外側に突出することはない。このため、筐体部４０は、常用光源である第１照明具２０と、非常用光源である第２照明具３０との間の隔壁となる。筐体部４０は、図１３に示すように、照明器具１０に固定される基部４１と、基部４１に固定される台座部４４と、台座部４４に対して着脱自在に取り付けられる外郭部４２と、を有する。
【００５６】
基部４１は、ベース部として第２光源部３１を収容するための土台となる部分である。基部４１は、基部底部４１０と、基部側部４１４と、基部張出部４１５と、を有する。基部底部４１０は、矩形の板状に形成された部材である。基部底部４１０には、台座部４４と、後述する保持部材５０と、が取り付けられる。基部底部４１０には、図１１及び図１３に示すように、保持部材固定部４１１と、図６に示すように、ネジ孔４１２と、取付孔４１３と、が形成されている。
【００５７】
保持部材固定部４１１は、ブリッジ状の切り起こしである。すなわち、保持部材固定部４１１は、基部底部４１０から切り起こされた板材であり、両端部が基部底部４１０と連続して形成されている。保持部材固定部４１１には、保持部材５０の固定部５１が挿し込まれる。ネジ孔４１２は、制御部３４及び台座部４４を、基部底部４１０に取り付けるためのネジ等の取付具を挿通させる孔である。取付孔４１３は、保持部材５０を基部底部４１０に固定するための保持部材固定具５４を挿通させる孔である。
【００５８】
基部側部４１４は、外郭部４２を基部４１に装着する際に、外郭部４２の移動をガイドする。基部側部４１４は、基部底部４１０の縁部から立ち上がる側壁である。基部側部４１４は、長尺状に形成された基部底部４１０の長手方向（Ｘ軸方向）に沿って設けられていると共に、基部底部４１０の長手方向（Ｘ軸方向）の両端部に配置されるように設けられている。すなわち、基部側部４１４は、矩形状に形成された基部底部４１０の隣り合う３辺に配置されるように形成されている。
【００５９】
基部張出部４１５は、第２照明具３０を照明器具１０の器具底部１１０に取り付けるための取付部である。基部張出部４１５は、基部底部４１０と連続して繋がり基部底部４１０と一体に形成されており、基部底部４１０から延びるように設けられた板材である。基部張出部４１５は、基部底部４１０の基部側部４１４が設けられていない１辺に設けられている。基部張出部４１５は、図１３に示すように、基部底部４１０の長手方向（Ｘ軸方向）に沿って設けられている部分の基部側部４１４に対して、台座部４４を介して反対側に延びている。基部張出部４１５は、第２照明具３０を照明器具１０に配置すると器具底部１１０と対向し当接する。基部張出部４１５には、ネジ孔４１６が形成されている。ネジ孔４１６は、第２照明具３０を照明器具１０の器具底部１１０に固定するための後述する第２照明具固定具８０を挿通させる孔である。
【００６０】
外郭部４２は、第２照明具３０の外郭を構成し、第２照明具３０の外観上の意匠部分を構成する。外郭部４２は、遮光性の材料を用いて形成されている。また、外郭部４２は、難燃性、又は不燃性の材料を用いて形成されている。また、外郭部４２は、熱伝導性の材料を用いて形成されている。外郭部４２は、図１１及び図１３に示すように、１面に開口部４２ａを形成する四角柱状の箱状に形成されている。外郭部４２は、第２照明具３０において基部４１に対して着脱自在に取り付けられている。より詳細には、外郭部４２は、基部４１を覆うように台座部４４に取り付けられる。外郭部４２が台座部４４に取り付けられることで、外郭部４２は、台座部４４を介して基部４１に取り付けられる。外郭部４２が台座部４４に取り付けられることで、外郭部４２は、露出する部分を除く第２光源部３１と、制御部３４と、露出する部分を除く操作部３６と、絶縁部３８と、を覆い内部に収容する。すなわち、外郭部４２は、第２発光部であるレンズ部３１３を露出した状態で、第２光源部３１とレンズ部３１３とを内部に収容する。外郭部４２は、第２発光部であるレンズ部３１３と共に第２光源部３１が収容される第２空間４５を形成する。また、外郭部４２が台座部４４に取り付けられることで、外郭部４２は、基部張出部４１５を除く基部４１と、台座部４４と、電池７０と、保持部材５０とを覆い内部に収容する。外郭部４２は、外郭主部４２０と、外郭長手側部４２７と、外郭短手側部４３１と、外郭部固定具４３２と、を有する。
【００６１】
外郭主部４２０は、外郭部４２に形成された開口部４２ａと対向する面に位置する壁である。また、外郭主部４２０は、矩形且つ長尺状に形成された板状の壁である。外郭主部４２０は、外郭部４２が台座部４４に取り付けられた状態において、基部底部４１０と対向する。外郭主部４２０は、第２照明具３０が照明器具１０に取り付けられている状態において、照明装置１の下面部の一部を構成する。外郭主部４２０は、第２透光部材配置部４２１と、操作部配置部４２５とを有する。
【００６２】
第２透光部材配置部４２１は、外郭主部４２０において、筐体部４０内に配置された第２透光部３１２と対向する部分である。すなわち、第２照明具３０は、第２透光部材配置部４２１の下に第２透光部３１２が配置されている。第２透光部材配置部４２１は、段差部４２２を有する。
【００６３】
段差部４２２は、外郭主部４２０の壁が内部に凹むように形成された平板状の壁部である。したがって、外郭部４２は、図９に示すように、段差部４２２において内側に凹んでいる。図１１及び図１３に示すように、段差部４２２と外郭主部４２０の外表面４２０ａとの間には段差が形成されている。段差部４２２には、透光部貫通部４２３と、ネジ孔４２４と、が形成されている。透光部貫通部４２３は、段差部４２２に形成された貫通孔である。透光部貫通部４２３は、外郭部４２が台座部４４に取り付けられている状態では、第２発光部であるレンズ部３１３と対向する位置に形成されている。そのため、外郭部４２が台座部４４に取り付けられた状態において、図９及び図１０に示すように、筐体部４０の内部に配置された第２透光部３１２のレンズ部３１３は、透光部貫通部４２３を介して段差部４２２から外側に露出する。また、外郭部４２が台座部４４に取り付けられた状態において、図９及び図１０に示すように、筐体部４０の内部に配置された第２透光部３１２のレンズ部３１３は、透光部貫通部４２３を介してレンズ部３１３の一部が段差部４２２から外側に突出する。ネジ孔４２４は、透光部貫通部４２３を間にして段差部４２２の２箇所に形成されている。ネジ孔４２４は、外郭部４２を台座部４４に固定するための外郭部固定具４３２を挿通させる孔である。
【００６４】
操作部配置部４２５は、外郭主部４２０において、筐体部４０内に配置された操作部３６と対向する部分である。すなわち、第２照明具３０は、操作部配置部４２５の下に操作部３６が配置されている。操作部配置部４２５には、操作貫通部４２６が形成されている。操作貫通部４２６は、操作部配置部４２５に形成された貫通孔である。外郭部４２が台座部４４に取り付けられた状態において、図１０及び図１２に示すように、筐体部４０の内部に配置された操作部３６の操作面部３６０が操作貫通部４２６を介して操作部配置部４２５の壁面から露出する。操作面部３６０が、照明装置１の下面部に露出することで、作業者は、操作部３６の操作ボタン３６１を操作できると共に、表示灯３６２の点灯及び消灯を認識することができる。
【００６５】
外郭長手側部４２７は、図１１〜図１３に示すように、外郭部４２の側壁を構成する。外郭長手側部４２７は、外郭主部４２０の長手方向（Ｘ軸方向）に沿って外郭主部４２０の側辺から立ち上がるように形成されている。外郭長手側部４２７は、外郭外側部４２８と、外郭内側部４２９と、を有する。外郭外側部４２８と外郭内側部４２９とは、互いに対向するように形成されている。外郭部４２が台座部４４に取り付けられた状態において、外郭外側部４２８は、長手方向（Ｘ軸方向）に延びるように形成された部分の基部側部４１４と対向する。外郭部４２が台座部４４に取り付けられた状態において、外郭内側部４２９は、基部張出部４１５の張り出し側に配置される。図９に示すように、第２照明具３０が照明器具１０に取り付けられている状態において、外郭外側部４２８は、照明装置１及び第２照明具３０の短手方向（Ｙ軸方向）の外側の側壁を構成する。また、照明装置１の短手方向（Ｙ軸方向）において、外郭内側部４２９は、外郭外側部４２８に対して、第２照明具３０の内側の側壁を構成する。
【００６６】
外郭内側部４２９は、第２照明具３０が照明器具１０に取り付けられている状態において、照明器具１０の器具側部１１１に沿って配置され、器具側部１１１と当接する。外郭内側部４２９は、第２照明具３０が照明器具１０に取り付けられている状態において、図９に示すように、照明器具１０の収容部１８と第２照明具３０の各構成とを隔てる隔壁として機能するものである。すなわち、外郭部４２は、第１照明具２０が照明器具１０に取り付けられた状態において、第２発光部であるレンズ部３１３と第１発光部である主部２２０とを隔てるように照明器具１０に配置されている。そして、第１空間である収容部１８と第２空間４５とは、外郭部４２によって隔てられている。すなわち、照明装置１は、照明器具１０から第２照明具３０に繋がる空間が外郭部４２によって第１空間である収容部１８と第２空間４５とに分割されている。外郭内側部４２９は、遮熱壁として機能し、第１照明具２０が発する動作熱が、第２照明具３０の第２光源部３１、制御部３４、電池７０等の各構成に対して影響を与えることを緩和する。また、外郭内側部４２９は、第１照明具２０が発する動作熱を、外部、あるいは、照明器具１０に伝達させるための放熱経路として機能する。すなわち、外郭部４２は、第１空間である収容部１８から被取付部９への伝熱経路として機能し、あるいは、第１空間である収容部１８から第１照明具２０又は第２照明具３０が照らす照明空間への伝熱経路として機能する。また、外郭部４２は、第２空間４５から被取付部９への伝熱経路として機能し、あるいは、第２空間４５から第１照明具２０又は第２照明具３０が照らす照明空間への伝熱経路として機能する。外郭内側部４２９には、切欠き部４３０が形成されている。切欠き部４３０は、外郭内側部４２９の壁の一部が切り取られた貫通孔であり、第１照明具２０と第２照明具３０との間の配線経路となる。
【００６７】
外郭短手側部４３１は、図１１〜図１３に示すように、外郭部４２の側壁を構成する。外郭短手側部４３１は、外郭主部４２０の短手方向（Ｙ軸方向）に沿って外郭主部４２０の側辺から立ち上がるように形成されている。外郭短手側部４３１は、外郭部４２の長手方向（Ｘ軸方向）の両端部の壁部を構成する。外郭短手側部４３１は、第２照明具３０が照明器具１０に取り付けられている状態において、第２照明具３０の長手方向（Ｘ軸方向）の両端側の側壁の一部を構成する。
【００６８】
外郭部４２の外郭長手側部４２７及び外郭短手側部４３１は、第２照明具３０が照明器具１０に取り付けられている状態において、器具傾斜部１１４を貫通するように配置される。
【００６９】
外郭部固定具４３２は、外郭部４２を台座部４４に固定する。外郭部固定具４３２は、段差部４２２に形成されたネジ孔４２４に挿通され、台座部４４の第２光源部取付部４４０に形成されたネジ孔４４２にねじ込まれる。外郭部固定具４３２は、例えば、摘みネジ等である。外郭部固定具４３２には、図１３に示すように、ナット４３４が用いられてもよい。
【００７０】
筐体部４０はまた、台座部４４によって、第２空間４５内に第２光源部３１等の取付構造を形成する。台座部４４は、第２光源部３１、保持部３１７、制御部３４、操作部３６、絶縁部３８等が設置されるものであり、台座部４４に設置された各構成を基部４１上に配置するものである。台座部４４は、図１４に示すように、第２光源部取付部４４０と、操作部取付部４４３と、制御部取付部４４５と、連結部４４７と、を有する。
【００７１】
第２光源部取付部４４０は、板状に形成された部分である。第２光源部取付部４４０には、第２光源部３１及び絶縁部３８が載置されて取り付けられる。第２光源部取付部４４０にはまた、外郭部４２が取り付けられる。第２光源部取付部４４０は、第２光源部３１が発する動作熱を受け取り、受け取った熱を放散させる。第２光源部取付部４４０には、ネジ孔４４１と、ネジ孔４４２と、が形成されている。ネジ孔４４１は、第２光源部３１の主部ネジ孔３２３に対応した位置の２箇所に形成される。ネジ孔４４１には、第２光源部３１を第２光源部取付部４４０に固定するための第２光源部固定具３２７が装着される。ネジ孔４４２は、外郭部４２のネジ孔４２４に対応した位置の２箇所に形成される。ネジ孔４４２には、外郭部４２を第２光源部取付部４４０に固定するための外郭部固定具４３２が装着される。
【００７２】
操作部取付部４４３は、板状に形成された部分である。操作部取付部４４３には、操作部３６が載置されて取り付けられる。操作部取付部４４３には、ネジ孔４４４が形成されている。ネジ孔４４４には、操作部３６を操作部取付部４４３に固定するための操作部固定具３６３が装着される。
【００７３】
制御部取付部４４５は、板状に形成された部分である。制御部取付部４４５には、制御部３４が載置されて取り付けられる。制御部取付部４４５は、第２光源部３１が発する動作熱を連結部４４７を介して受け取り、受け取った熱を基部４１及び照明器具１０へ伝達する放熱経路として機能する。制御部取付部４４５には、ネジ孔４４６が形成されている。ネジ孔４４６には、制御部３４を制御部取付部４４５に固定するための制御部固定具３４６が装着される。
【００７４】
連結部４４７は、第２光源部取付部４４０、操作部取付部４４３、及び制御部取付部４４５を相互に連結する側壁である。連結部４４７は、第２光源部取付部４４０、操作部取付部４４３、及び制御部取付部４４５の板面を水平方向と仮定した場合に、垂直方向に延びる板材である。なお、垂直方向は、必ずしも水平方向に対して厳密な垂直方向ではなく、連結部４４７が第２光源部取付部４４０、操作部取付部４４３、又は制御部取付部４４５に対して傾いていてもよい。連結部４４７は、第２光源部取付部４４０と制御部取付部４４５とが対向するように連結しており、また、操作部取付部４４３と制御部取付部４４５とが対向するように連結している。連結部４４７は、第２光源部３１が発する動作熱を受け取り、受け取った熱を基部４１及び照明器具１０へ伝達する放熱経路として機能する。
【００７５】
台座部４４は、第２光源部取付部４４０と制御部取付部４４５との間の距離が、操作部取付部４４３と制御部取付部４４５との間の距離よりも大きくなるように形成されている。なお、第２光源部取付部４４０と制御部取付部４４５との間の距離と、操作部取付部４４３と制御部取付部４４５との間の距離は、それぞれ第２光源部３１の厚さ、操作部３６の厚さ等によって異なる場合がある。そのため、台座部４４は、第２光源部取付部４４０と制御部取付部４４５との間の距離が、操作部取付部４４３と制御部取付部４４５との間の距離と等しいか、あるいは、小さくなるように形成されてもよい。台座部４４は、連結部４４７と、第２光源部取付部４４０と、操作部取付部４４３と、制御部取付部４４５と、が一体に形成されているが、これらが別体で形成されてもよい。台座部４４は、操作部取付部４４３と制御部取付部４４５とによって、連結部４４７と対向する位置に開口部４４ａを形成している。開口部４４ａは、台座部４４において少なくとも電池７０が配置される位置に形成されている。照明装置１は、外郭部４２が台座部４４に取り付けられている状態では、開口部４４ａの少なくとも一部は、外郭部４２に覆われる。
【００７６】
（保持部材５０）
図１５は、図１３の基部４１に配置された電池７０の斜視図である。図１６は、図４の照明装置１のＢ−Ｂ線断面図である。図１７は、図１５の電池７０の着脱を示す概略断面図である。図１８は、図１６の電池７０の着脱を示す概略断面図である。次に、図１１、図１５〜図１８を参照して、保持部材５０について説明する。保持部材５０は、板バネ等の弾性部材であって、筐体部４０内に配置される電池７０を保持するものである。保持部材５０は、固定部５１と、保持部５３と、保持部材固定具５４とを有する。
【００７７】
固定部５１は、平板状の板材部分である。固定部５１は、図１５及び図１６に示すように、基部４１に形成された保持部材固定部４１１に挿し込まれることで、基部４１と係合し、基部４１に取り付けられる。固定部５１は、基部４１に形成された保持部材固定部４１１に挿し込まれている状態で、基部４１と当接している。固定部５１には、図１１に示すように、固定孔５２が形成されている。固定孔５２には、保持部材５０を基部４１に固定するための保持部材固定具５４が装着される。図１６に示すように、第２照明具３０が照明器具１０に取り付けられているときは、固定部５１は、被取付部９と略平行となるように配置される。
【００７８】
保持部５３は、固定部５１と一体に形成されており、固定部５１から立ち上がる板状の部分である。保持部５３は、固定部５１の板面を水平方向とした場合に上下方向に延びる板状部分である。保持部５３は、保持部材５０が基部４１に取り付けられている状態において、図１７に示すように、基部側部４１４と対向する。保持部５３は、固定部５１に近づくように固定部５１の板面に対して傾斜しており、保持部５３の板面と、固定部５１の板面との間の角度が９０度以下であることが望ましい。そのため、保持部５３は、保持部材５０が基部４１に取り付けられている状態において、基部側部４１４に近づくように傾斜している。
【００７９】
保持部５３は、先端部分に保持曲折部５３ｃを有している。保持曲折部５３ｃは、保持部５３の立ち上がる方向の断面において山形に曲折しており、固定部５１の板面の上方に突出するように形成されている。より詳細には、保持部５３は、固定部５１と連結している側壁固定部５３ｂと、側壁固定部５３ｂの先端部に形成されている保持曲折部５３ｃとを有する。保持曲折部５３ｃは、側壁固定部５３ｂと連結する第１傾斜部５３ｃ１と、第１傾斜部５３ｃ１と連結する第２傾斜部５３ｃ２とを有する。側壁固定部５３ｂは、固定部５１に近づくように固定部５１の板面に対して傾斜しており、保持曲折部５３ｃの第１傾斜部５３ｃ１は、側壁固定部５３ｂよりも更に固定部５１に近づくように固定部５１の板面に対して傾斜している。そして、保持曲折部５３ｃの第２傾斜部５３ｃ２は、第１傾斜部５３ｃ１の傾斜方向と反対方向に傾斜している。したがって、保持曲折部５３ｃは、第１傾斜部５３ｃ１と、第２傾斜部５３ｃ２とによって断面がＬ字形状に形成されている。保持部５３は、側壁固定部５３ｂと、第１傾斜部５３ｃ１と、第２傾斜部５３ｃ２と、が一体に形成されている。
【００８０】
保持部５３は、バネ性を有し弾性変形する。図１６に示すように、第２照明具３０が照明器具１０に取り付けられているときは、保持部５３は、照明装置１の上下方向（Ｚ軸方向）に延びるように配置される。また、外郭部４２が台座部４４に取り付けられているときは、図１６に示すように、保持部５３は、外郭部４２の外郭内側部４２９と当接することで弾性変形が規制されて電池７０を保持する。すなわち、保持部材５０は、外郭部４２が台座部４４に取り付けられている状態では、外郭部４２が台座部４４に取り付けられていない状態よりも可動範囲が狭い。これに対し、図１８に示すように、保持部材５０は、外郭部４２が台座部４４に取り付けられていない状態では、電池７０を着脱できる程度の可動範囲で弾性変形する。
【００８１】
保持部材固定具５４は、保持部材５０を基部４１に固定する部材である。保持部材固定具５４は、例えばネジ、リベット等である。保持部材固定具５４は、固定部５１に形成された固定孔５２と、図６に示す基部底部４１０に形成された取付孔４１３とに挿通される。
【００８２】
（電池７０）
次に、図１１、図１５〜図１８を参照して、電池７０について説明する。電池７０は、第２光源部３１に第２点灯電力を供給する。電池７０は、蓄電池である。電池７０は、いわゆる４セル形の蓄電池であるが、電池７０を構成するセルの数は４セルに限定されるものではなく、例えば６セル等、他の数であってもよい。電池７０は、保持部材５０によって基部４１に着脱自在に保持される。外郭部４２が台座部４４に取り付けられた状態では、図１６に示すように、電池７０は保持部材５０に保持された状態で筐体部４０の基部４１に保持される。すなわち、電池７０は、筐体部４０内に配置された場合には、筐体部４０の内面に当接していると共に、筐体部４０に取り付けられている保持部材５０によって第２空間４５の内部に保持されている。より詳細には、外郭部４２が台座部４４に取り付けられた状態では、電池７０は、保持曲折部５３ｃによって保持曲折部５３ｃと基部側部４１４とに当接すると共に、保持曲折部５３ｃによって電池７０の下方が支持されて、電池７０の下方への移動が規制される。この際、上述のように、保持部５３は、外郭部４２の外郭内側部４２９と当接することで弾性変形が規制される。外郭部４２が基部４１から取り外された状態では、図１８に示すように、保持部材５０を弾性変形させることによって、作業者は電池７０を下方側に外すことができる。この際、保持部５３は、外郭部４２の外郭内側部４２９と当接しないためで弾性変形が規制されない。なお、図１８において、矢印Ｓは、電池７０又は外郭部４２を基部４１に取り付ける方向を示すものであり、矢印Ｒは、電池７０又は外郭部４２を基部４１から取り外す方向を示すものである。
【００８３】
（第２照明具固定具８０）
次に、図６を参照して、第２照明具固定具８０について説明する。第２照明具固定具８０は、第２照明具３０を照明器具１０に固定する部材である。第２照明具固定具８０は、例えばネジ、リベット等である。第２照明具固定具８０は、器具底部１１０に形成されたネジ孔１１３と、基部張出部４１５に形成されたネジ孔４１６とに挿通される。
【００８４】
（吊紐６０）
図１９は、図１の照明装置１から第２照明具３０の外郭部４２を取り外した斜視図である。吊紐６０は、第２照明具３０の外郭部４２を照明器具１０に仮固定するものである。吊紐６０は、紐状、あるいは、棒状に形成された部材であり、一端は基部４１に固定されており、他端は外郭部４２に固定されている。
【００８５】
＜照明装置１の変形例＞
図２０は、本発明の実施の形態１の照明装置１の変形例のＢ−Ｂ線断面図である。照明装置１の変形例は第２照明具３０ａを有する。照明装置１の変形例は、照明装置１と第２照明具３０の構成が異なるだけであり、他の構成は同一である。第２照明具３０ａは、電池７０ａ及び筐体部４０ａが、第２照明具３０の電池７０及び筐体部４０と異なる。第２照明具３０ａは、電池７０ａ及び筐体部４０ａが、第２照明具３０と異なるだけであり、他の構成は同一である。なお、照明装置１の変形例において、照明装置１と同一の構成を有する部位には同一の符号を付してその説明を省略する。
【００８６】
（電池７０ａ）
電池７０ａは、蓄電池である。電池７０は、いわゆる６セル形の大型の蓄電池である。電池７０ａは、電池７０とセル数が異なるものである。
（筐体部４０ａ）
筐体部４０ａは、保持部５３ａを有する。筐体部４０ａは、保持部５３ａの構成が筐体部４０の保持部５３の構成と異なるだけであり、他の構成は同一である。保持部５３ａは、固定部５１と連結している側壁固定部５３ｂ１と、側壁固定部５３ｂ１の先端部に形成されている保持曲折部５３ｃとを有する。保持部５３ａは、いわゆる６セル形の大型の蓄電池の保持に適した形状に形成されている。例えば、電池７０ａは電池７０よりも大型化されており、側壁固定部５３ｂ１は、側壁固定部５３ｂよりも上下方向（Ｚ軸方向）に長尺状に形成されている。すなわち、保持部５３ａの固定部５１と保持曲折部５３ｃとの間の距離は、保持部５３の固定部５１と保持曲折部５３ｃとの間の距離よりも大きい。
【００８７】
実施の形態２．
図２１は、本発明の実施の形態２に係る照明装置１ｂの第１方向斜視図である。図２２は、本発明の実施の形態２に係る照明装置１ｂの第２方向斜視図である。図２３は、本発明の実施の形態２に係る照明装置１ｂの正面図である。図２４は、本発明の実施の形態２に係る照明装置１ｂの下面図である。図２５は、本発明の実施の形態２に係る照明装置１ｂの背面図である。図２６は、本発明の実施の形態２に係る照明装置１ｂの上面図である。図２７は、本発明の実施の形態２に係る照明装置１ｂの側面図である。図２１〜図２７を参照して、実施の形態１に係る照明装置１の構成と相違する構成を中心に、実施の形態２に係る照明装置１ｂの構成を説明する。なお、図１〜図２０の照明装置１と同一の構成を有する部位には同一の符号を付してその説明を省略する。また、図２１の第１方向は、照明装置１ｂの短手方向（Ｙ軸方向）において、第２照明具３０が設けられていない側の下方から照明装置１ｂを見た方向である。また、図２２の第２方向は、照明装置１ｂの短手方向（Ｙ軸方向）において、第２照明具３０が設けられている側の下方から照明装置１ｂを見た方向である。
【００８８】
＜照明装置１ｂ＞
照明装置１ｂは、照明空間を照明できる位置に設置され、照明空間を照らすものである。実施の形態２の照明装置１ｂは、いわゆるＶ形（２５０ｍｍ幅）の照明装置である。
【００８９】
照明装置１ｂは、天井あるいは壁等の被取付部９に取り付けられる長尺状の照明器具１０ｂと、照明器具１０ｂに着脱自在に取り付けられる長尺状の第１照明具２０と、照明器具１０に取り付けられている第２照明具３０と、を備えている。照明装置１ｂは、第１照明具２０と、第２照明具３０とが、短手方向（Ｙ軸方向）に並べて配置されている。
【００９０】
［照明器具１０ｂ］
照明器具１０ｂは、器具本体部１１ｂと、器具端部１２ｂと、器具側連結具１３と、器具側端子台１４と、器具側固定具１５と、器具側電力線１６と、を有する。実施の形態２の照明装置１ｂは、照明器具１０ｂの構成が、実施の形態１の照明装置１の照明器具１０と異なるものである。
【００９１】
（器具本体部１１ｂ）
器具本体部１１ｂは、照明器具１０ｂの外郭を構成する筐体である。器具本体部１１ｂは、ボルト等の固定具を用いられて被取付部９に取り付けられる。器具本体部１１ｂは、器具底部１１０と、器具側部１１１と、器具傾斜部１１４ｂと、器具側縁部１１７ｂと、を有する。器具底部１１０と、器具側部１１１と、器具傾斜部１１４ｂと、器具側縁部１１７ｂとは、例えば、金属製の板材を折り曲げて一体に形成されている。ただし、器具本体部１１ｂは、金属製の板材の折り曲げから形成されるものに限定されるものではなく、例えば、樹脂、セラミック等、他の材料を用いて形成されてもよく、また、押出成形、積層造形等、他の方法で形成されてもよい。また、器具底部１１０と、器具側部１１１と、器具傾斜部１１４ｂと、器具側縁部１１７ｂとは、一体に形成されているものに限定されるものではなく、これらの部材が互いに確実に固定されていれば別体で形成されてもよい。
【００９２】
器具傾斜部１１４ｂは、器具本体部１１ｂの短手方向（Ｙ軸方向）において収容部１８の両側に対に設けられている傾斜壁である。器具傾斜部１１４ｂは、被取付部９の取付面に対して傾斜するように形成されている。対の器具傾斜部１１４ｂは、器具側縁部１１７ｂの長手側辺のそれぞれから、上側（Ｚ１側）へ且つ収容部１８から離れるように形成されている。すなわち、器具傾斜部１１４ｂは、器具本体部１１ｂの上下方向（Ｚ軸方向）において被取付部９側の端部同士の間隔が、照明空間側の端部同士の間隔よりも広くなるように傾斜している。照明装置１ｂは、短手方向（Ｙ軸方向）において、対の器具傾斜部１１４ｂの間に収容部１８が形成されている。器具傾斜部１１４ｂは、傾斜面を形成しており、光源から発せられる光を照明空間に向けて反射してもよい。なお、器具傾斜部１１４ｂは、照明装置１ｂの短手方向（Ｙ軸方向）の両端の距離が、照明装置１における器具傾斜部１１４の、短手方向（Ｙ軸方向）の両端の距離よりも大きい。
【００９３】
器具側縁部１１７ｂは、器具本体部１１ｂの短手方向（Ｙ軸方向）において収容部１８の両側に対に設けられている収容部１８の縁部である。器具側縁部１１７ｂは、器具側部１１１と器具傾斜部１１４ｂとの間に形成されている。器具側縁部１１７ｂは、器具側部１１１の器具底部１１０と反対側の先端部に形成されており、対の器具側部１１１のそれぞれの先端部から互いに離れるように対に形成されている。器具側縁部１１７ｂは、器具本体部１１ｂの下面部を構成する。
【００９４】
収容部１８を挟んで器具本体部１１ｂの短手方向（Ｙ軸方向）の一方の側に形成されている器具傾斜部１１４ｂ及び器具側縁部１１７ｂには、貫通孔である器具貫通部１１５ｂが形成されている。器具貫通部１１５ｂは、器具本体部１１ｂの長手方向（Ｘ軸方向）の中央部に形成されている。器具貫通部１１５ｂは、図２４に示すように、照明空間側から被取付部９を見た平面視において、器具本体部１１ｂに矩形状に形成されている。この器具貫通部１１５ｂには、第２照明具３０が挿通され、第２照明具３０は、器具傾斜部１１４ｂ及び器具側縁部１１７ｂから照明空間側に突出するように器具貫通部１１５ｂに配置される。そのため、器具貫通部１１５ｂは、第２照明具３０の外郭部４２の形状と寸法とに対応して形成されていればよく、照明空間側から被取付部９を見た平面視において、矩形状に形成されている形状に限定されるものではない。器具貫通部１１５ｂは、外郭部４２の着脱口あるいは脱着口として機能する。
【００９５】
（器具端部１２ｂ）
器具端部１２ｂは、器具本体部１１ｂの長手方向（Ｘ軸方向）の両端部に配置される。器具端部１２ｂは、器具本体部１１ｂの長手方向（Ｘ軸方向）の端部を覆う端板１２０ｂを有する。端板１２０ｂは、器具本体部１１ｂの短手方向（Ｙ軸方向）に延びる器具本体部１１ｂの側壁を構成する。そして、端板１２０ｂは、器具傾斜部１１４ｂ及び器具側縁部１１７ｂの長手方向（Ｘ軸方向）の端部に配置され、器具本体部１１ｂと共に照明器具１０ｂの外郭を構成する。器具端部１２ｂは、照明装置１ｂの短手方向（Ｙ軸方向）の両端の距離が、照明装置１における器具端部１２の、短手方向（Ｙ軸方向）の両端の距離よりも大きい。端板１２０ｂには、端板１２０ｂを構成する壁部の一部が取り外されることで端板１２０ｂに貫通穴を形成するノックアウト部１２１が形成されている。
【００９６】
実施の形態３．
図２８は、本発明の実施の形態３に係る照明装置１ｃの第１方向斜視図である。図２９は、本発明の実施の形態３に係る照明装置１ｃの第２方向斜視図である。図３０は、本発明の実施の形態３に係る照明装置１ｃの正面図である。図３１は、本発明の実施の形態３に係る照明装置１ｃの下面図である。図３２は、本発明の実施の形態３に係る照明装置１ｃの背面図である。図３３は、本発明の実施の形態３に係る照明装置１ｃの上面図である。図３４は、本発明の実施の形態３に係る照明装置１ｃの側面図である。図２８〜図３４を参照して、実施の形態１に係る照明装置１の構成と相違する構成を中心に、実施の形態３に係る照明装置１ｃの構成を説明する。なお、図１〜図２０の照明装置１と同一の構成を有する部位には同一の符号を付してその説明を省略する。また、図２８の第１方向は、照明装置１ｃの短手方向（Ｙ軸方向）において、第２照明具３０が設けられていない側の下方から照明装置１ｃを見た方向である。また、図２９の第２方向は、照明装置１ｃの短手方向（Ｙ軸方向）において、第２照明具３０が設けられている側の下方から照明装置１ｃを見た方向である。
【００９７】
＜照明装置１ｃ＞
照明装置１ｃは、照明空間を照明できる位置に設置され、照明空間を照らすものである。実施の形態３の照明装置１ｃは、いわゆるトラフ形の照明装置である。
【００９８】
照明装置１ｃは、天井あるいは壁等の被取付部９に取り付けられる長尺状の照明器具１０ｃと、照明器具１０ｃに着脱自在に取り付けられる長尺状の第１照明具２０と、照明器具１０に取り付けられている第２照明具３０と、を備えている。照明装置１ｃは、第１照明具２０と、第２照明具３０とが、短手方向（Ｙ軸方向）に並べて配置されている。照明装置１ｃは、図２９に示すように、照明装置１ｃの短手方向（Ｙ軸方向）において、照明器具１０ｃの側方に配置されている。実施の形態３の照明装置１ｃは、実施の形態１の照明装置１及び実施の形態２の照明装置１ｂと異なり、第２照明具３０が照明器具１０ｃの外側に配置されている。
【００９９】
［照明器具１０ｃ］
照明器具１０ｃは、器具本体部１１ｃと、器具端部１２ｃと、器具側連結具１３と、器具側端子台１４と、器具側固定具１５と、器具側電力線１６と、を有する。実施の形態３の照明装置１ｃは、照明器具１０ｃの構成が、実施の形態１の照明装置１の照明器具１０と異なるものである。
【０１００】
（器具本体部１１ｃ）
器具本体部１１ｃは、照明器具１０ｃの外郭を構成する筐体である。器具本体部１１ｃは、ボルト等の固定具を用いられて被取付部９に取り付けられる。器具本体部１１ｃは、器具底部１１０と、器具側部１１１と、器具側縁部１１７ｃと、を有する。器具底部１１０と、器具側部１１１と、器具側縁部１１７ｃとは、例えば、金属製の板材を折り曲げて一体に形成されている。ただし、器具本体部１１ｃは、金属製の板材の折り曲げから形成されるものに限定されるものではなく、例えば、樹脂、セラミック等、他の材料を用いて形成されてもよく、また、押出成形、積層造形等、他の方法で形成されてもよい。また、器具底部１１０と、器具側部１１１とは、一体に形成されているものに限定されるものではなく、これらの部材が互いに確実に固定されていれば別体で形成されてもよい。器具側縁部１１７ｃは、器具本体部１１ｃの短手方向（Ｙ軸方向）において収容部１８の両側に対に設けられている収容部１８の縁部である。器具側縁部１１７ｃは、器具側部１１１の器具底部１１０と反対側の先端部に形成されている。実施の形態３の器具本体部１１ｃは、いわゆるトラフ形の照明器具１０の外郭を構成するものであり、器具傾斜部１１４を有していない点で、実施の形態１の器具本体部１１と異なる。
【０１０１】
（器具端部１２ｃ）
器具端部１２ｃは、器具本体部１１ｃの長手方向（Ｘ軸方向）の両端部に配置される。器具端部１２ｃは、器具本体部１１ｃの長手方向（Ｘ軸方向）の端部を覆う端板１２０ｃを有する。端板１２０ｃは、器具本体部１１ｃの短手方向（Ｙ軸方向）に延びる器具本体部１１ｃの側壁を構成する。そして、端板１２０ｃは、器具底部１１０及び器具側部１１１の長手方向（Ｘ軸方向）の端部に配置され、器具本体部１１ｃと共に照明器具１０ｃの外郭を構成する。端板１２０ｃには、端板１２０ｃを構成する壁部の一部が取り外されることで端板１２０ｃに貫通穴を形成するノックアウト部１２１ｃが形成されている。
【０１０２】
実施の形態４．
図３５は、本発明の実施の形態４に係る照明装置１ｄの第１方向斜視図である。図３６は、本発明の実施の形態４に係る照明装置１ｄの第２方向斜視図である。図３７は、本発明の実施の形態４に係る照明装置１ｄの正面図である。図３８は、本発明の実施の形態４に係る照明装置１ｄの下面図である。図３９は、本発明の実施の形態４に係る照明装置１ｄの背面図である。図４０は、本発明の実施の形態４に係る照明装置１ｄの上面図である。図４１は、本発明の実施の形態４に係る照明装置１ｄの側面図である。図３５〜図４１を参照して、実施の形態１に係る照明装置１の構成と相違する構成を中心に、実施の形態４に係る照明装置１ｄの構成を説明する。なお、図１〜図２０の照明装置１と同一の構成を有する部位には同一の符号を付してその説明を省略する。また、図３５の第１方向は、照明装置１ｄの短手方向（Ｙ軸方向）において、第２照明具３０が設けられていない側の下方から照明装置１ｄを見た方向である。また、図３６の第２方向は、照明装置１ｄの短手方向（Ｙ軸方向）において、第２照明具３０が設けられている側の下方から照明装置１ｄを見た方向である。
【０１０３】
＜照明装置１ｄ＞
照明装置１ｄは、照明空間を照明できる位置に設置され、照明空間を照らすものである。実施の形態４の照明装置１ｄは、いわゆる埋込型の照明装置である。
【０１０４】
照明装置１ｄは、天井あるいは壁等の被取付部９に取り付けられる長尺状の照明器具１０ｄと、照明器具１０ｄに着脱自在に取り付けられる長尺状の第１照明具２０と、照明器具１０に取り付けられている第２照明具３０と、を備えている。照明装置１ｄは、第１照明具２０と、第２照明具３０とが、短手方向（Ｙ軸方向）に並べて配置されている。
【０１０５】
［照明器具１０ｄ］
照明器具１０ｄは、器具本体部１１ｄと、器具端部１２ｄと、器具側連結具１３と、器具側端子台１４と、器具側固定具１５と、器具側電力線１６と、を有する。実施の形態４の照明装置１ｄは、照明器具１０ｄの構成が、実施の形態１の照明装置１の照明器具１０と異なるものである。
【０１０６】
（器具本体部１１ｄ）
器具本体部１１ｄは、照明器具１０ｄの外郭を構成する筐体である。器具本体部１１ｄは、ボルト等の固定具を用いられて被取付部９に取り付けられる。器具本体部１１ｄは、器具底部１１０と、器具側部１１１ｄと、器具傾斜部１１４ｄと、器具側縁部１１７ｄと、を有する。器具底部１１０と、器具側部１１１ｄと、器具傾斜部１１４ｄと、器具側縁部１１７ｄとは、例えば、金属製の板材を折り曲げて一体に形成されている。ただし、器具本体部１１ｄは、金属製の板材の折り曲げから形成されるものに限定されるものではなく、例えば、樹脂、セラミック等、他の材料を用いて形成されてもよく、また、押出成形、積層造形等、他の方法で形成されてもよい。また、器具底部１１０と、器具側部１１１ｄと、器具傾斜部１１４ｄと、器具側縁部１１７ｄとは、一体に形成されているものに限定されるものではなく、これらの部材が互いに確実に固定されていれば別体で形成されてもよい。
【０１０７】
器具本体部１１ｄは、器具底部１１０と、器具側部１１１ｄと、後述する器具端部１２ｄとによって凹形状に形成された収容部１８を形成する。収容部１８は、器具底部１１０によって底面部が構成され、器具側部１１１ｄによって長手方向に延びる側壁部が構成され、器具端部１２ｄによって短手方向に延びる側壁部が構成される。この収容部１８には、第１照明具２０の一部が収容される、第１照明具２０が取り付けられる。
【０１０８】
器具傾斜部１１４ｄは、器具本体部１１ｂの短手方向（Ｙ軸方向）において収容部１８の両側に対に設けられている傾斜壁である。器具傾斜部１１４ｄは、被取付部９の取付面に対して傾斜するように形成されている。対の器具傾斜部１１４ｄは、収容部１８から下方（Ｚ２側）へ互いの距離が離れるように形成されている。すなわち、器具傾斜部１１４ｄは、器具本体部１１ｄの上下方向（Ｚ軸方向）において照明空間側の端部同士の間隔が被取付部９側の端部同士の間隔よりも広くなるように傾斜している。照明装置１ｄは、短手方向（Ｙ軸方向）において、対の器具傾斜部１１４ｄの間に収容部１８が配置されておらず、対の器具傾斜部１１４ｄが互いに対向するように形成されている。ただし、照明装置１ｄを照明空間側から見た平面視では、対の器具傾斜部１１４ｄの間に収容部１８が配置されている。器具傾斜部１１４ｄは、傾斜面を形成しており、光源から発せられる光を照明空間に向けて反射してもよい。
【０１０９】
器具側縁部１１７ｄは、器具本体部１１ｄの短手方向（Ｙ軸方向）において収容部１８の両側に対に設けられている収容部１８の縁部である。器具側縁部１１７ｄは、器具側部１１１ｄと器具傾斜部１１４ｄとの間に形成されている。器具側縁部１１７ｄは、器具側部１１１ｄの器具底部１１０と反対側の先端部に形成されており、対の器具側部１１１ｄのそれぞれの先端部から互いに離れるように対に形成されている。
【０１１０】
収容部１８を挟んで器具本体部１１ｄの短手方向（Ｙ軸方向）の一方の側に形成されている器具傾斜部１１４ｄ及び器具側縁部１１７ｄには、貫通孔である器具貫通部１１５ｄが形成されている。器具貫通部１１５ｄは、器具本体部１１ｄの長手方向（Ｘ軸方向）の中央部に形成されている。器具貫通部１１５ｄは、図３８に示すように、照明空間側から被取付部９を見た平面視において、器具本体部１１ｄに矩形状に形成されている。この器具貫通部１１５ｄには、第２照明具３０が挿通され、第２照明具３０は、器具傾斜部１１４ｄ及び器具側縁部１１７ｄから照明空間側に突出するように器具貫通部１１５ｄに配置される。そのため、器具貫通部１１５ｄは、第２照明具３０の外郭部４２の形状と寸法とに対応して形成されていればよく、照明空間側から被取付部９を見た平面視において、矩形状に形成されている形状に限定されるものではない。器具貫通部１１５ｄは、外郭部４２の着脱口あるいは脱着口として機能する。
【０１１１】
（器具端部１２ｄ）
器具端部１２ｄは、器具本体部１１ｄの長手方向（Ｘ軸方向）の両端部に配置される。器具端部１２ｄは、器具本体部１１ｄの長手方向（Ｘ軸方向）の端部を覆う。器具端部１２ｄは、器具本体部１１ｄの短手方向（Ｙ軸方向）に延びる器具本体部１１ｄの側壁を構成する。そして、器具端部１２ｄは、器具本体部１１ｄと共に照明器具１０ｄの外郭を構成する。
【０１１２】
実施の形態５．
図４２は、本発明の実施の形態５に係る照明装置１ｅの第１方向斜視図である。図４３は、本発明の実施の形態５に係る照明装置１ｅの第２方向斜視図である。図４４は、本発明の実施の形態５に係る照明装置１ｅの正面図である。図４５は、本発明の実施の形態５に係る照明装置１ｅの下面図である。図４６は、本発明の実施の形態５に係る照明装置１ｅの背面図である。図４７は、本発明の実施の形態５に係る照明装置１ｅの上面図である。図４８は、本発明の実施の形態５に係る照明装置１ｅの側面図である。図４２〜図４８を参照して、実施の形態１に係る照明装置１の構成と相違する構成を中心に、実施の形態５に係る照明装置１ｅの構成を説明する。なお、図１〜図２０の照明装置１と同一の構成を有する部位には同一の符号を付してその説明を省略する。また、図４２の第１方向は、照明装置１ｅの短手方向（Ｙ軸方向）において、第２照明具３０が設けられていない側の下方から照明装置１ｅを見た方向である。また、図４３の第２方向は、照明装置１ｅの短手方向（Ｙ軸方向）において、第２照明具３０が設けられている側の下方から照明装置１ｅを見た方向である。
【０１１３】
＜照明装置１ｅ＞
照明装置１ｅは、照明空間を照明できる位置に設置され、照明空間を照らすものである。実施の形態５の照明装置１ｅは、いわゆる埋込型の照明装置である。
【０１１４】
照明装置１ｅは、天井あるいは壁等の被取付部９に取り付けられる長尺状の照明器具１０ｅと、照明器具１０ｅに着脱自在に取り付けられる長尺状の第１照明具２０と、照明器具１０に取り付けられている第２照明具３０ｅと、を備えている。照明装置１ｅは、第１照明具２０と、第２照明具３０ｅとが、短手方向（Ｙ軸方向）に並べて配置されている。
【０１１５】
［照明器具１０ｅ］
照明器具１０ｅは、器具本体部１１ｅと、器具端部１２ｅと、器具側連結具１３と、器具側端子台１４と、器具側固定具１５と、器具側電力線１６と、を有する。実施の形態５の照明装置１ｅは、照明器具１０ｅ及び第２照明具３０ｅの構成が、実施の形態１の照明装置１の照明器具１０及び第２照明具３０と異なるものである。
【０１１６】
（器具本体部１１ｅ）
器具本体部１１ｅは、照明器具１０ｅの外郭を構成する筐体である。器具本体部１１ｅは、ボルト等の固定具を用いられて被取付部９に取り付けられる。器具本体部１１ｅは、器具底部１１０ｅと、器具側部１１１ｅと、器具傾斜部１１４ｅと、器具側縁部１１７ｅと、を有する。器具底部１１０ｅと、器具側部１１１ｅと、器具傾斜部１１４ｅと、器具側縁部１１７ｅとは、例えば、金属製の板材を折り曲げて一体に形成されている。ただし、器具本体部１１ｅは、金属製の板材の折り曲げから形成されるものに限定されるものではなく、例えば、樹脂、セラミック等、他の材料を用いて形成されてもよく、また、押出成形、積層造形等、他の方法で形成されてもよい。また、器具底部１１０ｅと、器具側部１１１ｅと、器具傾斜部１１４ｅと、器具側縁部１１７ｅとは、一体に形成されているものに限定されるものではなく、これらの部材が互いに確実に固定されていれば別体で形成されてもよい。
【０１１７】
器具本体部１１ｅは、器具底部１１０ｅと、器具側部１１１ｅと、後述する器具端部１２ｅとによって凹形状に形成された収容部１８を形成する。収容部１８は、器具底部１１０ｅによって底面部が構成され、器具側部１１１ｅによって長手方向に延びる側壁部が構成され、器具端部１２ｅによって短手方向に延びる側壁部が構成される。この収容部１８には、第１照明具２０の一部が収容される、第１照明具２０が取り付けられる。
【０１１８】
器具傾斜部１１４ｅは、器具本体部１１ｅの短手方向（Ｙ軸方向）において収容部１８の両側に対に設けられている傾斜壁である。器具傾斜部１１４ｅは、被取付部９の取付面に対して傾斜するように形成されている。対の器具傾斜部１１４ｅは、収容部１８から下方（Ｚ２側）へ互いの距離が離れるように形成されている。すなわち、器具傾斜部１１４ｅは、器具本体部１１ｅの上下方向（Ｚ軸方向）において照明空間側の端部同士の間隔が被取付部９側の端部同士の間隔よりも広くなるように傾斜している。照明装置１ｅは、短手方向（Ｙ軸方向）において、対の器具傾斜部１１４ｅの間に収容部１８が配置されておらず、対の器具傾斜部１１４ｅが互いに対向するように形成されている。ただし、照明装置１ｅを照明空間側から見た平面視では、対の器具傾斜部１１４ｅの間に収容部１８が配置されている。器具傾斜部１１４ｅは、傾斜面を形成しており、光源から発せられる光を照明空間に向けて反射してもよい。
【０１１９】
器具側縁部１１７ｅは、器具本体部１１ｅの短手方向（Ｙ軸方向）において収容部１８の両側に対に設けられている収容部１８の縁部である。器具側縁部１１７ｅは、器具側部１１１ｅと器具傾斜部１１４ｅとの間に形成されている。器具側縁部１１７ｅは、器具側部１１１ｅの器具底部１１０ｅと反対側の先端部に形成されており、対の器具側部１１１ｅのそれぞれの先端部から互いに離れるように対に形成されている。
【０１２０】
収容部１８を挟んで器具本体部１１ｅの短手方向（Ｙ軸方向）の一方の側に形成されている器具傾斜部１１４ｅ及び器具側縁部１１７ｅには、貫通孔である器具貫通部１１５ｅが形成されている。器具貫通部１１５ｅは、第１貫通部１１６ｅと、第２貫通部１１８ｅの２つの貫通孔から構成されている。第１貫通部１１６ｅ及び第２貫通部１１８ｅは、器具本体部１１ｅの長手方向（Ｘ軸方向）に沿って形成されている。
【０１２１】
第１貫通部１１６ｅは、器具本体部１１ｅの長手方向（Ｘ軸方向）の中央部に形成されている。第１貫通部１１６ｅは、図４５に示すように、照明空間側から被取付部９を見た平面視において、器具本体部１１ｅに矩形状に形成されている。この第１貫通部１１６ｅには、第２照明具３０ｅの外郭部４２ｅが挿通され、第２照明具３０ｅの第２光源部３１は、器具傾斜部１１４ｅ及び器具側縁部１１７ｅから照明空間側に突出するように第１貫通部１１６ｅに配置される。そのため、第１貫通部１１６ｅは、第２照明具３０ｅの外郭部４２ｅの形状と寸法とに対応して形成されていればよく、照明空間側から被取付部９を見た平面視において、矩形状に形成されている形状に限定されるものではない。器具貫通部１１５ｅは、外郭部４２ｅの着脱口あるいは脱着口として機能する。
【０１２２】
第２貫通部１１８ｅは、図４５に示すように、照明空間側から被取付部９を見た平面視において、器具本体部１１ｅに矩形状に形成されている。この第２貫通部１１８ｅには、器具傾斜部１１４ｅ及び器具側縁部１１７ｅを介して第２照明具３０ｅの操作部３６が露出するように配置される。そのため、第２貫通部１１８ｅは、第２照明具３０ｅの操作部３６の形状と寸法とに対応して形成されていればよく、照明空間側から被取付部９を見た平面視において、矩形状に形成されている形状に限定されるものではない。照明装置１ｅは、第２貫通部１１８ｅを介して、操作部３６の操作ボタン３６１及び表示灯３６２等の操作面部３６０が器具本体部１１ｅの外側に露出する。
【０１２３】
（器具端部１２ｅ）
器具端部１２ｅは、器具本体部１１ｅの長手方向（Ｘ軸方向）の両端部に配置される。器具端部１２ｅは、器具本体部１１ｅの長手方向（Ｘ軸方向）の端部を覆う。器具端部１２ｅは、器具本体部１１ｅの短手方向（Ｙ軸方向）に延びる器具本体部１１ｅの側壁を構成する。そして、器具端部１２ｅは、器具本体部１１ｅと共に照明器具１０ｅの外郭を構成する。
【０１２４】
［第２照明具３０ｅ］
図４２〜図４８を参照して第２照明具３０ｅの概要について説明する。第２照明具３０ｅは、非常用の照明具であり、例えば停電等なんらかの理由で照明装置１ｅの外部から照明装置１ｅに電力が供給されない非常時に光を照射し、照明空間を照らす。第２照明具３０ｅは、実施の形態１の照明器具１０と比較して照明器具１０ｅから露出する外郭部４２ｅが小型化されたものであり、照明装置１ｅは、照明装置１と比較して意匠性が向上した態様である。
【０１２５】
第２照明具３０ｅは、照明器具１０ｅに取り付けられており、第１照明具２０と共に照明装置１ｅを構成する。第２照明具３０ｅは、長尺状に形成されており、照明器具１０ｅの長手方向（Ｘ軸方向）に沿って取り付けられている。また、第２照明具３０ｅは、照明器具１０ｅの長手方向（Ｘ軸方向）の中央部に設けられている。第２照明具３０ｅは、照明器具１０ｅの短手方向（Ｙ軸方向）において、第１照明具２０と並んで配置されている。そして、第２照明具３０ｅは、照明空間側から被取付部９を見た平面視において、照明器具１０ｅ内に第１照明具２０の長手方向と第２照明具３０ｅの長手方向とが平行になるように配置されている。第２照明具３０ｅは、器具傾斜部１１４ｅに形成された器具貫通部１１５ｅから突出するように設けられている。より詳細には、第２照明具３０ｅの外郭部４２ｅは、器具貫通部１１５ｅの第１貫通部１１６ｅから突出するように配置され、第２照明具３０ｅの操作部３６は、器具貫通部１１５ｅの第２貫通部１１８ｅから露出するように配置されている。第２照明具３０ｅは、第２光源部３１と、制御部３４と、操作部３６と、絶縁部３８と、筐体部４０ｅと、保持部材５０と、電池７０と、第２照明具固定具８０と、吊紐６０と、を有する。
【０１２６】
図４９は、図４５の照明装置１ｅのＥ−Ｅ線断面図である。図５０は、図４２の第２照明具３０ｅの第３方向斜視図である。図５１は、図４２の第２照明具３０ｅの第３方向分解斜視図である。図５２は、図４９の第２照明具３０ｅの第４方向斜視図である。図５３は、図４９の第２照明具３０ｅの第４方向分解斜視図である。図５４は、図５１の外郭部４２ｅを取り外した第２照明具３０ｅの詳細な分解斜視図である。図５５は、図５３の外郭部４２ｅを取り外した第２照明具３０ｅの詳細な分解斜視図である。図４９〜図５５を用いて第２照明具３０の構成について更に詳細に説明する。なお、図５０及び図５１の第３方向は、照明装置１ｅの短手方向（Ｙ軸方向）において、照明装置１ｅの外側から内側に向かって、かつ、照明空間側から被取付部９側に向かって照明装置１ｅを見た場合の第２照明具３０ｅの斜視図である。また、図５２及び図５３の第４方向は、照明装置１ｅの短手方向（Ｙ軸方向）において、照明装置１ｅの内側から外側に向かって、かつ、照明空間側から被取付部９側に向かって照明装置１ｅを見た場合の第２照明具３０ｅの斜視図である。また、図５０〜図５５では、第２照明具３０ｅを説明する紙面上の上下方向（Ｚ軸方向）が、図４２の照明装置１ｅの紙面上の上下方向（Ｚ軸方向）と反対に示されている。
【０１２７】
（第２光源部３１）
第２光源部３１は、非常時用の光源であり光を発するものである。第２光源部３１は、図５０及び図５２に示すように、第２透光部３１２の一部の構成が筐体部４０ｅから露出した状態で筐体部４０ｅ内に収容されている。第２光源部３１は、図５４及び図５５に示すように、第２光源基板３１０と、第２発光素子３１１と、第２透光部３１２と、保持部３１７ｅと、第２光源部固定具３２７と、を有する。なお、図４９に示す、点線Ｌｔ１は、レンズ部３１３の照射側の先端部の位置と、第１照明具２０を構成する第１透光部２２の、主部２２０の照射側の先端部の位置とを比較した線である。また、点線Ｌｔ２は、レンズ部３１３の取付位置と、第１照明具２０を構成する第１透光部２２の主部２２０の取付位置とを比較した線である。照明装置１ｅは、点線Ｌｔ２から解るように、レンズ部３１３の設置位置が、第１照明具２０の主部２２０の設置位置よりも照明空間側に配置されている。すなわち、器具底部１１０ｅに対する垂直方向において、器具底部１１０ｅ及びその延長面を基準としてレンズ部３１３は、主部２２０よりも高い位置に配置されている。また、照明装置１ｅは、点線Ｌｔ１から解るように、レンズ部３１３の照射側の先端部と器具底部１１０ｅ及びその延長面との間の距離が、第１照明具２０の主部２２０の照射側の先端部と器具底部１１０ｅ及びその延長面との間の距離よりも大きい。なお、照明装置１ｅは、第１照明具２０の主部２２０と第２照明具３０のレンズ部３１３との間に隔壁が設けられていればよく、レンズ部３１３と主部２２０との位置関係は上述の位置関係に限定されるものではない。
【０１２８】
第２光源部３１の取付部３１６は、レンズ部３１３の周辺に形成された鍔部であり、第２透光部３１２を保持部３１７ｅに取り付ける際に保持部３１７ｅの装着ガイド３２１によってガイドされ、保持部３１７ｅの保持突起３２０と係合する。
【０１２９】
保持部３１７ｅは、第２光源基板３１０とレンズ部３１３とを後述する台座部４５ｅの第２台座部４８ｅに固定するためのものである。保持部３１７ｅは、図５１及び図５３に示すように、保持主部３１８ｅと、保持副部３２４ｅと、を有する。保持主部３１８ｅは、板状に形成されており、レンズとして機能する第２透光部３１２が装着される台座となる。
【０１３０】
保持主部３１８ｅは、装着された第２透光部３１２を係止する保持突起３２０を有する。保持突起３２０は、保持主部３１８ｅから立ち上がる側壁３１８ａに設けられ、側壁３１８ａから内側に張り出す張り出し部である。保持突起３２０は、保持主部３１８ｅと共に第２透光部３１２を上下方向（Ｚ軸方向）から挟むことによって第２透光部３１２を係止する。第２透光部３１２は、保持突起３２０によって保持主部３１８ｅのレンズ保持部３１９に配置される。保持部３１７ｅは、レンズ保持部３１９と、保持突起３２０との間に装着ガイド３２１を形成する。装着ガイド３２１は、レンズ保持部３１９と、保持突起３２０との間に形成された溝である。装着ガイド３２１は、第２透光部３１２を保持部３１７ｅに取り付ける際に第２透光部３１２の取付部３１６と嵌合し、装着される第２透光部３１２のスライドをガイドする。保持主部３１８ｅには、貫通孔３２２が形成されている。貫通孔３２２は、第２発光素子３１１の実装範囲の上方に位置するように形成されている。保持主部３１８ｅに取り付けられた第２透光部３１２は、貫通孔３２２を介してレンズ部３１３と第２発光素子３１１とが対向する。そのため、第２発光素子３１１から発せられる光は、貫通孔３２２を介してレンズ部３１３に到達する。保持主部３１８ｅには、更に、主部ネジ孔３２３が形成されている。主部ネジ孔３２３は、レンズ保持部３１９を間にして保持主部３１８ｅの２箇所に形成されている。主部ネジ孔３２３は、第２光源部３１を台座部４５ｅに固定するための第２光源部固定具３２７を挿通させる孔である。２箇所に形成されている主部ネジ孔３２３のうち、１つの主部ネジ孔３２３は、保持副部３２４ｅに形成されている副部ネジ孔３２５と重なり、副部ネジ孔３２５と連通する。
【０１３１】
保持副部３２４ｅは、板状に形成された部材であり、レンズ保持部３１９に配置された第２透光部３１２が、装着ガイド３２１から抜け出ないように第２透光部３１２を係止するものである。保持副部３２４ｅはまた、第２透光部３１２が装着ガイド３２１内でガタ付かないように第２透光部３１２を固定する。保持副部３２４ｅには、副部ネジ孔３２５が形成されている。副部ネジ孔３２５は、第２光源部３１を台座部４５ｅに固定するための第２光源部固定具３２７を挿通させる孔である。副部ネジ孔３２５は、保持主部３１８ｅに形成されている主部ネジ孔３２３と重なり、主部ネジ孔３２３と連通する。
【０１３２】
第２光源部固定具３２７は、第２光源部３１を台座部４５ｅの第２台座部４８ｅに固定する部材である。第２光源部固定具３２７は、例えばネジ、リベット等である。第２光源部固定具３２７は、保持主部３１８に形成された主部ネジ孔３２３と、保持副部３２４に形成された副部ネジ孔３２５とに挿通される。
【０１３３】
（制御部３４）
ケース３４２の第１ケース３４３に形成されたネジ孔３４４は、制御部３４を台座部４５ｅの第１台座部４６ｅに固定するための制御部固定具３４６を挿通させる孔である。すなわち、制御部固定具３４６は、制御部３４を台座部４４の第１台座部４６ｅに固定する。
【０１３４】
（操作部３６）
操作部固定具３６３は、操作部３６を台座部４５ｅの第１台座部４６ｅに固定する。
【０１３５】
（絶縁部３８）
絶縁部３８は、第２照明具３０ｅ内において、第２光源部３１の第２光源基板３１０と、第２台座部４８ｅの第２光源部取付部４８０ｅとの間に配置される。絶縁部３８は、第２光源部３１の第２光源基板３１０と、第２台座部４８ｅの第２光源部取付部４８０ｅと、を電気的に絶縁する。絶縁部３８に形成された絶縁部ネジ孔３８０は、第２光源部３１を第２台座部４８ｅの第２光源部取付部４８０ｅに固定するための第２光源部固定具３２７を挿通させる孔である。第２光源部３１の保持主部３１８ｅが、第２台座部４８ｅの第２光源部取付部４８０ｅに固定されることで、絶縁部３８もまた台座部４５ｅの第２光源部取付部４８０ｅに固定される。
【０１３６】
（筐体部４０ｅ）
次に、図４９〜図５５を参照して、第２照明具３０ｅの筐体部４０ｅについて説明する。筐体部４０ｅは、第２照明具３０ｅの外郭を構成する。筐体部４０ｅは、外郭部４２ｅ及び基部４１ｅによって箱状に形成されており、内部に第２空間４５を形成する。筐体部４０ｅが形成する第２空間４５には、第２光源部３１と、制御部３４と、操作部３６と、絶縁部３８と、が収容される。第２照明具３０ｅは、図５０及び図５２に示すように、第２光源部３１等の光学系全体を収納する筐体部４０ｅで覆われており、レンズ部３１３と外郭部固定具４３２とが露出する形となるが、どちらも筐体部４０ｅの外表面４２０ａより突出することはない。このため、筐体部４０ｅは、常用光源である第１照明具２０と、非常用光源である第２照明具３０ｅとの間の隔壁となる。筐体部４０ｅは、基部４１ｅと、外郭部４２ｅと、台座部４５ｅと、を有する。
【０１３７】
基部４１ｅは、ベース部として第２光源部３１を収容するための土台となる部分である。基部４１ｅは、基部底部４１０ｅと、基部側部４１４ｅと、基部張出部４１５ｅと、を有する。基部底部４１０ｅは、矩形の板状に形成された部材である。基部底部４１０には、台座部４５ｅの第１台座部４６ｅが取り付けられる。
【０１３８】
基部側部４１４ｅは、外郭部４２ｅを基部４１ｅに装着する際に、外郭部４２ｅの移動をガイドする。基部側部４１４ｅは、基部底部４１０ｅの縁部から立ち上がる側壁である。基部側部４１４ｅは、長尺状に形成された基部底部４１０ｅの長手方向（Ｘ軸方向）に沿って設けられている。基部側部４１４ｅは、台座部４５ｅの第１台座部４６ｅが基部４１ｅに取り付けられると台座外側部４６７ｅと対向し、ネジ等の固定具によって基部側部４１４と台座外側部４６７ｅとが固定される。
【０１３９】
基部張出部４１５ｅは、第２照明具３０ｅを照明器具１０ｅの器具底部１１０ｅに取り付けるための取付部である。基部張出部４１５ｅは、基部底部４１０と連続して繋がり基部底部４１０ｅと一体に形成されており、基部底部４１０ｅから延びるように設けられた板材である。基部張出部４１５ｅは、基部底部４１０ｅにおいて基部側部４１４が設けられる側の辺の対辺に設けられている。基部張出部４１５ｅは、基部側部４１４ｅに対して、台座部４５ｅを介して反対側に延びている。基部張出部４１５ｅは、第２照明具３０ｅを照明器具１０ｅに配置すると器具底部１１０ｅと対向し当接する。基部張出部４１５ｅには、ネジ孔４１６ｅが形成されている。ネジ孔４１６ｅは、第２照明具３０ｅを照明器具１０ｅの器具底部１１０ｅに固定するための第２照明具固定具８０を挿通させる孔である。
【０１４０】
外郭部４２ｅは、第２照明具３０ｅの外郭の一部を構成し、第２照明具３０ｅの外観上の意匠部分を構成する。外郭部４２ｅは、図５１及び図５３に示すように、１面に開口部４２ａを形成する略四角柱状の箱状に形成されている。外郭部４２ｅは、基部４１ｅの一部を覆うように台座部４５ｅの第２台座部４８ｅに取り付けられる。すなわち、外郭部４２ｅは、台座部４５ｅを介して基部４１ｅに取り付けられる。外郭部４２ｅが、台座部４５ｅの第２台座部４８ｅに取り付けられることで、外郭部４２ｅは、露出する部分を除く第２光源部３１を覆い内部に収容する。また、外郭部４２ｅが台座部４５ｅの第２台座部４８ｅに取り付けられることで、第２台座部４８ｅを覆い内部に収容する。外郭部４２ｅは、外郭主部４２０ｅと、外郭長手側部４２７ｅと、外郭短手側部４３１ｅと、外郭部固定具４３２と、を有する。
【０１４１】
外郭主部４２０ｅは、外郭部４２ｅに形成された開口部４２ａと対向する面に位置する壁である。また、外郭主部４２０ｅは、矩形且つ長尺状に形成された板状の壁である。外郭主部４２０ｅは、外郭部４２ｅが台座部４５ｅに取り付けられた状態において、第２光源部取付部４８０ｅと対向する。外郭主部４２０ｅは、第２照明具３０ｅが照明器具１０ｅに取り付けられている状態において、照明装置１ｅの下面部の一部を構成する。外郭主部４２０ｅは、図５０〜図５３に示すように、第２透光部材配置部４２１ｅを有する。なお、外郭部４２ｅは、実施の形態１の照明装置１の外郭部４２と比較して小型化されており、外郭部４２ｅの外郭主部４２０には、操作部配置部４２５を有しておらず、操作貫通部４２６が形成されていない。
【０１４２】
第２透光部材配置部４２１ｅは、外郭主部４２０ｅにおいて、筐体部４０ｅ内に配置された第２透光部３１２と対向する部分である。すなわち、第２照明具３０ｅは、第２透光部材配置部４２１ｅの下に第２透光部３１２が配置されている。第２透光部材配置部４２１ｅは、段差部４２２ｅを有する。
【０１４３】
段差部４２２ｅは、外郭主部４２０ｅの壁が凹むように形成された平板状の壁部であり、段差部４２２ｅと外郭主部４２０ｅの外表面４２０ａとの間には段差が形成されている。段差部４２２ｅは、外郭部４２ｅの内側に凹んでいる部分である。段差部４２２ｅには、図５１及び図５３に示すように、透光部貫通部４２３ｅと、ネジ孔４２４ｅと、が形成されている。透光部貫通部４２３ｅは、段差部４２２ｅに形成された貫通孔である。透光部貫通部４２３ｅは、外郭部４２ｅが台座部４５ｅに取り付けられている状態では、第２発光部であるレンズ部３１３と対向する位置に形成されている。外郭部４２ｅが第２台座部４８ｅに取り付けられた状態において、筐体部４０ｅの内部に配置された第２透光部３１２のレンズ部３１３は、透光部貫通部４２３ｅを介して段差部４２２ｅから外側に露出する。また、外郭部４２ｅが第２台座部４８ｅを介して基部４１ｅに取り付けられた状態において、筐体部４０ｅの内部に配置された第２透光部３１２のレンズ部３１３は、透光部貫通部４２３ｅを介してレンズ部３１３の一部が段差部４２２ｅから外側に突出する。ネジ孔４２４ｅは、透光部貫通部４２３ｅを間にして段差部４２２ｅの２箇所に形成されている。ネジ孔４２４ｅは、外郭部４２ｅを台座部４５ｅの第２台座部４８ｅに固定するための外郭部固定具４３２を挿通させる孔である。
【０１４４】
外郭長手側部４２７ｅは、外郭部４２ｅの側壁を構成する。外郭長手側部４２７ｅは、外郭主部４２０ｅの長手方向（Ｘ軸方向）に沿って外郭主部４２０ｅの側辺から立ち上がるように形成されている。外郭長手側部４２７ｅは、外郭外側部４２８ｅと、外郭内側部４２９ｅと、を有する。外郭外側部４２８ｅと外郭内側部４２９ｅとは、互いに対向するように形成されている。また、外郭部４２ｅが第２台座部４８ｅを介して基部４１ｅに取り付けられた状態において、外郭内側部４２９ｅは、基部４１ｅに対して基部底部４１０ｅから基部張出部４１５ｅが延びる側に配置される。また、外郭部４２ｅが第２台座部４８ｅを介して基部４１ｅに取り付けられた状態において、外郭内側部４２９ｅは、外表面４２０ａから、後述する第１台座張出部４７３ｅまでの側壁を形成する。そして、第２照明具３０ｅが照明器具１０ｅに取り付けられている状態において、外郭外側部４２８ｅは、照明装置１ｅ及び第２照明具３０ｅの短手方向（Ｙ軸方向）の外側の側壁を構成する。また、照明装置１ｅの短手方向（Ｙ軸方向）において、外郭内側部４２９ｅは、外郭外側部４２８ｅに対して、第２照明具３０ｅの内側の側壁を構成する。
【０１４５】
外郭内側部４２９ｅは、第２照明具３０ｅが照明器具１０ｅに取り付けられている状態において、図４９に示すように、照明器具１０ｅの収容部１８と第２照明具３０ｅの各構成とを隔てる隔壁として機能するものである。すなわち、外郭部４２ｅは、第１照明具２０が照明器具１０ｅに取り付けられた状態において、第２発光部であるレンズ部３１３と第１発光部である主部２２０とを隔てるように照明器具１０ｅに配置されている。そして、第１空間である収容部１８と第２空間４５とは、外郭部４２ｅによって隔てられている。外郭内側部４２９ｅは、遮熱壁として機能し、第１照明具２０が発する動作熱が、第２照明具３０ｅの第２光源部３１、制御部３４、電池７０等の各構成に対して影響を与えることを緩和する。また、外郭内側部４２９ｅは、第１照明具２０が発する動作熱を、外部、あるいは、照明器具１０ｅに伝達させるための放熱経路として機能する。すなわち、外郭部４２ｅは、第１空間である収容部１８から被取付部９への伝熱経路として機能し、あるいは、第１空間である収容部１８から第１照明具２０又は第２照明具３０が照らす照明空間への伝熱経路として機能する。また、外郭部４２ｅは、第２空間４５から被取付部９への伝熱経路として機能し、あるいは、第２空間４５から第１照明具２０又は第２照明具３０が照らす照明空間への伝熱経路として機能する。
【０１４６】
外郭短手側部４３１ｅは、外郭部４２ｅの側壁を構成する。外郭短手側部４３１ｅは、外郭主部４２０ｅの短手方向（Ｙ軸方向）に沿って外郭主部４２０ｅの側辺から立ち上がるように形成されている。外郭短手側部４３１ｅは、外郭部４２ｅの長手方向（Ｘ軸方向）の両端部の壁部を構成する。外郭短手側部４３１ｅは、第２照明具３０ｅが照明器具１０ｅに取り付けられている状態において、第２照明具３０ｅの長手方向（Ｘ軸方向）の両端側の側壁の一部を構成する。
【０１４７】
外郭部４２ｅの外郭長手側部４２７ｅ及び外郭短手側部４３１ｅは、第２照明具３０ｅが照明器具１０ｅに取り付けられている状態において、器具傾斜部１１４ｅを貫通するように配置される。
【０１４８】
外郭部固定具４３２は、外郭部４２ｅを台座部４５ｅの第２台座部４８ｅに固定する。外郭部固定具４３２は、段差部４２２ｅに形成されたネジ孔４２４ｅに挿通され、台座部４５ｅを構成する第２台座部４８ｅの第２光源部取付部４８０ｅに形成されたネジ孔４８２ｅにねじ込まれる。外郭部固定具４３２は、例えば、摘みネジ等である。外郭部固定具４３２には、図５１及び図５３に示すように、ナット４３４が用いられてもよい。
【０１４９】
筐体部４０ｅは、台座部４５ｅによって、第２光源部３１等の取付構造を形成する。台座部４５ｅは、第２光源部３１、保持部３１７ｅ、制御部３４、操作部３６、絶縁部３８等が設置されるものであり、台座部４５ｅに設置された各構成を基部４１ｅ上に配置するものである。台座部４５ｅは、第１台座部４６ｅと、第２台座部４８ｅと、を有する。第２台座部４８ｅは第１台座部４６ｅ上に配置され、第２台座部４８ｅは第１台座部４６ｅに取り付けられる。また、第２台座部４８ｅは、基部４１ｅ上に配置される。
【０１５０】
第１台座部４６ｅは、第２台座部４８ｅ、制御部３４、操作部３６、保持部材５０等が取り付けられる構造を構成する。第１台座部４６ｅは、図５４及び図５５に示すように、１面に開口部４６ｅ１を形成する四角柱状の箱状に形成されている。第１台座部４６ｅは、基部４１ｅを覆うように基部４１ｅに取り付けられる。第１台座部４６ｅが基部４１ｅに取り付けられることで、第１台座部４６ｅは、制御部３４と、露出する部分を除く操作部３６と、を覆い内部に収容する。また、第１台座部４６ｅが基部４１ｅに取り付けられることで、第１台座部４６ｅは、電池７０と、電池７０を保持する保持部材５０とを覆い内部に収容する。第１台座部４６ｅは、台座主部４６０ｅと、台座長手側部４６６ｅと、第１台座張出部４７３ｅと、台座短手側部４７５ｅと、を有する。
【０１５１】
台座主部４６０ｅは、操作部３６、制御部３４、保持部材５０、電池７０等を収容する収容部１８の一部を構成する壁である。台座主部４６０ｅは、第１台座部４６ｅに形成された開口部４６ｅ１と対向する面に位置する板状の壁である。また、台座主部４６０ｅは、矩形且つ長尺状に形成された板状の壁である。台座主部４６０ｅは、第１台座部４６ｅが基部４１ｅに取り付けられた状態において、基部底部４１０ｅと対向する。台座主部４６０ｅは、第２照明具３０が照明器具１０に取り付けられている状態において、器具傾斜部１１４ｅ及び器具側縁部１１７ｅと対向する。
【０１５２】
台座主部４６０ｅには、主部装着開口４８８ｅと、主部電線挿通孔４９０ｅとが形成されている。主部装着開口４８８ｅは、台座主部４６０ｅの内側部側から短手方向（Ｙ軸方向）に形成されている貫通孔である。主部装着開口４８８ｅは、台座主部４６０ｅの長手方向（Ｘ軸方向）に沿って２箇所形成されている。主部装着開口４８８ｅには、第２台座部４８ｅの台座固定部４８３ｅが挿し込まれて固定される。主部電線挿通孔４９０ｅは、台座主部４６０ｅの長手方向に沿って形成されている貫通孔である。主部電線挿通孔４９０ｅには、電線が挿入され配置される。台座主部４６０ｅは、操作部取付部４６１ｅと、制御部取付部４６４ｅとを有する。
【０１５３】
操作部取付部４６１ｅは、第１台座部４６ｅにおいて、操作部３６が取り付けられる部分である。操作部取付部４６１ｅは、第１台座部４６ｅの内部に配置された操作部３６と対向する。すなわち、第２照明具３０ｅは、第１台座部４６ｅの操作部取付部４６１ｅの下に操作部３６が配置されている。操作部取付部４６１ｅには、操作部貫通部４６２ｅと、ネジ孔４６３ｅと、が形成されている。
【０１５４】
操作部貫通部４６２ｅは、操作部取付部４６１ｅに形成された貫通孔である。第１台座部４６ｅの内部に操作部３６が取り付けられると、第１台座部４６ｅの内部に配置された操作部３６の操作面部３６０が操作部貫通部４６２ｅを介して操作部取付部４６１ｅの壁面から露出する。また、第２照明具３０ｅが照明器具１０ｅに取る付けられた状態において、操作部貫通部４６２ｅと第２貫通部１１８ｅとが連通する。そして、操作部貫通部４６２ｅ及び第２貫通部１１８ｅを介して、操作部３６の操作ボタン３６１及び表示灯３６２等の操作面部３６０が器具本体部１１ｅの外側に露出する。操作面部３６０が、照明装置１の下面部に露出することで、作業者は、操作部３６の操作ボタン３６１を操作できると共に、表示灯３６２の点灯及び消灯を認識することができる。ネジ孔４６３ｅには、操作部３６を操作部取付部４６１ｅに固定するための、例えば、ネジあるいはリベット等の操作部固定具３６３が装着される。操作部３６は、操作部固定具３６３によって、第１台座部４６ｅの内側から操作部取付部４６１ｅに取り付けられる。
【０１５５】
制御部取付部４６４ｅは、第１台座部４６ｅにおいて、制御部３４が取り付けられる部分である。制御部取付部４６４ｅは、第１台座部４６ｅの内部に配置された制御部３４の第１ケース３４３と対向する。すなわち、第２照明具３０ｅは、第１台座部４６ｅの制御部取付部４６４ｅの下に制御部３４が配置されている。制御部取付部４６４ｅには、ネジ孔４６５ｅが形成されている。
【０１５６】
ネジ孔４６５ｅには、制御部３４を制御部取付部４６４ｅに固定するための、例えば、ネジあるいはリベット等の制御部固定具３４６が装着される。制御部３４は、制御部固定具３４６によって、第１台座部４６ｅの内側から制御部取付部４６４ｅに取り付けられる。
【０１５７】
台座長手側部４６６ｅは、操作部３６、制御部３４、保持部材５０、電池７０等を収容する収容部１８の一部を構成する壁である。台座長手側部４６６ｅは、図５４及び図５５に示すように、第１台座部４６ｅの側壁を構成する。台座長手側部４６６ｅは、台座主部４６０ｅの長手方向（Ｘ軸方向）に沿って台座主部４６０ｅの側辺から立ち上がるように形成されている。台座長手側部４６６ｅは、台座外側部４６７ｅと、台座内側部４７０ｅと、を有する。
【０１５８】
台座外側部４６７ｅと台座内側部４７０ｅとは、互いに対向するように形成されている。第２照明具３０ｅが照明器具１０ｅに取り付けられている状態において、台座外側部４６７ｅは、図４６に示すように、照明装置１ｅ及び第２照明具３０ｅの短手方向（Ｙ軸方向）の外側の側壁の一部を構成する。また、台座内側部４７０ｅは、照明装置１ｅの短手方向（Ｙ軸方向）において、台座外側部４６７ｅに対して、第２照明具３０ｅの内側の側壁を構成する。台座内側部４７０ｅは、第２照明具３０ｅが照明器具１０ｅに取り付けられている状態において、照明器具１０ｅの器具側部１１１ｅに沿って配置される。
【０１５９】
台座外側部４６７ｅには、図５４及び図５５に示すように、保持部材固定部４６８ｅと、取付孔４６９ｅと、が形成されている。保持部材固定部４６８ｅは、ブリッジ状の切り起こしである。すなわち、保持部材固定部４６８ｅは、台座外側部４６７ｅから切り起こされた板材であり、両端部が台座外側部４６７ｅと連続して形成されている。保持部材固定部４６８ｅには、保持部材５０の固定部５１が挿し込まれる。取付孔４６９ｅは、保持部材５０を台座外側部４６７ｅに固定するための保持部材固定具５４を挿通させる孔である。
【０１６０】
台座内側部４７０ｅには、電池着脱部４７１ｅと、側部電線挿通孔４７２ｅと、側部装着開口４８９ｅと、が形成されている。電池着脱部４７１ｅは、貫通孔であり、第１台座部４６ｅ内に電池７０を出し入れする際に利用する開口部である。電池着脱部４７１ｅは、第１台座部４６ｅ内において電池７０が配置される位置に形成されている。照明装置１ｅは、外郭部４２ｅが台座部４５ｅの第２台座部４８ｅに取り付けられている状態では、電池着脱部４７１ｅの少なくとも一部は、外郭部４２ｅに覆われる。なお、電池着脱部４７１ｅは、台座内側部４７０ｅと共に台座主部４６０ｅに連続して形成されてもよい。側部電線挿通孔４７２ｅは、貫通孔であり、第１照明具２０と第２照明具３０ｅとの間の配線経路となる。側部装着開口４８９ｅは、主部装着開口４８８ｅを起点として、台座内側部４７０ｅの長手方向（Ｘ軸方向）に沿って形成されている。
【０１６１】
第１台座張出部４７３ｅは、台座内側部４７０ｅの端部に形成された折り曲げ片である。第１台座張出部４７３ｅは、台座内側部４７０ｅを介して台座主部４６０ｅの反対側の端部に形成されている。第１台座張出部４７３ｅは、基部張出部４１５ｅと共に、第２照明具３０ｅを照明器具１０ｅの器具底部１１０ｅに取り付けるための取付部である。第１台座張出部４７３ｅは、第２照明具３０ｅを照明器具１０ｅの器具底部１１０ｅに取り付ける際に、基部張出部４１５ｅ及び器具底部１１０ｅと対向し、基部張出部４１５ｅ及び器具底部１１０ｅと当接する。すなわち、第１台座張出部４７３ｅは、第２照明具３０ｅが照明器具１０ｅに取り付けられた状態で、基部張出部４１５ｅと器具底部１１０ｅとに挟まれる。第１台座張出部４７３ｅには、ネジ孔４７４ｅが形成されている。ネジ孔４７４ｅは、第２照明具３０ｅを器具底部１１０ｅに固定するための第２照明具固定具８０を挿通させる孔である。
【０１６２】
台座短手側部４７５ｅは、操作部３６、制御部３４、保持部材５０、電池７０等を収容する収容部１８の一部を構成する壁である。台座短手側部４７５ｅは、図５４及び図５５に示すように、第１台座部４６ｅの側壁を構成する。台座短手側部４７５ｅは、台座主部４６０ｅの短手方向（Ｙ軸方向）に沿って台座主部４６０ｅの側辺から立ち上がるように形成されている。台座短手側部４７５ｅは、第１台座部４６ｅの長手方向（Ｘ軸方向）の両端部の壁部を構成する。台座短手側部４７５ｅは、第２照明具３０ｅが照明器具１０ｅに取り付けられている状態において、第２照明具３０ｅの長手方向（Ｘ軸方向）の両端側の側壁の一部を構成する。
【０１６３】
第２台座部４８ｅは、第２光源部３１を、第１台座部４６ｅに取り付ける台座である。第２台座部４８ｅは、第１台座部４６ｅの台座主部４６０ｅに取り付けられる。第２台座部４８ｅは、第２光源部取付部４８０ｅと、台座固定部４８３ｅと、連結部４８５ｅと、台座側部４８６ｅと、第２台座部固定具４８７ｅと、を有する。
【０１６４】
第２光源部取付部４８０ｅは、板状に形成された部分である。第２光源部取付部４８０ｅには、第２光源部３１及び絶縁部３８が載置されて取り付けられる。第２光源部取付部４８０ｅにはまた、外郭部４２ｅが取り付けられる。第２光源部取付部４８０ｅは、第２光源部３１が発する動作熱を受け取り、受け取った熱を放散させる。第２台座部４８ｅが第１台座部４６ｅに取り付けられると、第２光源部取付部４８０ｅは、第１台座部４６ｅの台座主部４６０ｅと対向する。第２光源部取付部４８０ｅには、ネジ孔４８１ｅと、ネジ孔４８２ｅと、が形成されている。ネジ孔４８１ｅは、第２光源部３１の主部ネジ孔３２３に対応した位置の２箇所に形成される。ネジ孔４８１ｅには、第２光源部３１を第２光源部取付部４８０ｅに固定するための第２光源部固定具３２７が装着される。ネジ孔４８２ｅは、外郭部４２ｅのネジ孔４２４ｅに対応した位置の２箇所に形成される。ネジ孔４８２ｅには、外郭部４２ｅを第２光源部取付部４８０ｅに固定するための外郭部固定具４３２が装着される。
【０１６５】
台座固定部４８３ｅは、第２台座部４８ｅを第１台座部４６ｅに取り付け、第２台座部４８ｅを第１台座部４６ｅに固定するための折り曲げ片である。台座固定部４８３ｅは、第２台座部４８ｅの長手方向の端部に形成されており、第２光源部取付部４８０ｅを間にして２箇所に形成される。台座固定部４８３ｅは、第２台座部４８ｅを第１台座部４６ｅに取り付ける場合に、第１台座部４６ｅに形成された主部装着開口４８８ｅに挿入され、第１台座部４６ｅの内側から、第１台座部４６ｅの台座主部４６０ｅと当接する。台座固定部４８３ｅには、ネジ孔４８４ｅが形成されている。ネジ孔４８４ｅには、第２台座部４８ｅを第１台座部４６ｅに固定するための、ネジあるいはリベット等の第２台座部固定具４８７ｅが装着される。
【０１６６】
連結部４８５ｅは、第２光源部取付部４８０ｅと台座固定部４８３ｅとを相互に連結する板状の部分である。連結部４８５ｅは、第２光源部取付部４８０ｅの長手方向（Ｘ軸方向）の端部すなわち短辺側部に形成されている。連結部４８５は、第２光源部取付部４８０ｅを、第１台座部４６ｅの台座主部４６０ｅの上方に配置する。連結部４８５ｅは、第２光源部３１が発する動作熱を基部４１ｅ、及び、照明器具１０ｅへ伝達する放熱経路として機能する。
【０１６７】
台座側部４８６は、第２光源部取付部４８０ｅの長手側部に設けられた折り曲げ片である。台座側部４８６は、外郭部４２ｅが第２台座部４８ｅに取り付けられた状態では保持部材５０の弾性変形を規制する。
【０１６８】
第２台座部固定具４８７ｅは、例えば、ネジ、あるいは、リベット等である。第２台座部固定具４８７ｅは、第２台座部４８ｅを第１台座部４６ｅに取り付けるために用いられる。第２台座部固定具４８７ｅは、第２台座部４８ｅを構成する台座固定部４８３ｅに形成されたネジ孔４８４ｅに挿通され、第２台座部４８ｅの台座固定部４８３ｅと、第１台座部４６ｅの台座主部４６０ｅとを固定する。
【０１６９】
（保持部材５０）
図５６は、図４５の照明装置１ｅのＦ−Ｆ線断面図である。図５７は、図５６の電池７０の着脱を示す概略断面図である。次に、図５４〜図５７を参照して、保持部材５０について説明する。保持部材５０は、板バネ等の弾性部材であって、筐体部４０ｅの第１台座部４６ｅ内に配置される電池７０を保持するものである。保持部材５０は、固定部５１と、保持部５３と、保持部材固定具５４とを有する。
【０１７０】
固定部５１は、平板状の板材部分である。固定部５１は、図５４及び図５５に示すように、台座外側部４６７ｅに形成された保持部材固定部４６８ｅに挿し込まれることで、台座外側部４６７ｅと係合し、台座外側部４６７ｅに取り付けられる。固定部５１は、台座外側部４６７ｅに形成された保持部材固定部４６８ｅに挿し込まれている状態で、台座外側部４６７ｅと当接している。固定部５１には、固定孔５２が形成されている。固定孔５２には、保持部材５０を台座外側部４６７ｅに固定するための保持部材固定具５４が装着される。第２照明具３０ｅが照明器具１０ｅに取り付けられているときは、図５６に示すように、固定部５１は、基部底部４１０ｅと略垂直となるように配置される。
【０１７１】
保持部５３は、固定部５１と一体に形成されており、固定部５１から立ち上がる板状の部分である。保持部５３は、固定部５１の板面を鉛直方向に延びる板状部分と仮定した場合に水平方向に延びる板状部分である。保持部５３は、保持部材５０が台座外側部４６７ｅに取り付けられている状態において、図５６に示すように、基部底部４１０ｅと対向する。保持部５３は、固定部５１に近づくように固定部５１の板面に対して傾斜しており、保持部５３の板面と、固定部５１の板面との間の角度が９０度以下であることが望ましい。保持部５３は、保持部材５０が台座外側部４６７ｅに取り付けられている状態において、基部底部４１０ｅに近づくように傾斜している。
【０１７２】
保持部５３は、バネ性を有し弾性変形する。図５６に示すように、第２照明具３０ｅが照明器具１０ｅに取り付けられているときは、保持部５３は、照明装置１の左右方向（Ｙ軸方向）に延びるように配置される。また、図５６に示すように、保持部５３は、電池７０を保持する。図５７に示すように、外郭部４２ｅが台座部４５ｅから取り外されているときは、保持部５３は、弾性変形が許容され電池７０を着脱、あるいは、脱着することができる。なお、図５３に示すように、外郭部４２ｅが、第２台座部４８ｅから取り外されると、第１台座部４６ｅに形成されている電池着脱部４７１ｅが露出する。作業者が、第１照明具２０及び外郭部４２ｅを照明器具１０ｅから取り外すことで電池着脱部４７１ｅを収容部１８に露出させることができ、作業者は、電池着脱部４７１ｅを介して第１台座部４６ｅ内に電池７０を出し入れすることができる。そのため、器具側部１１１ｅには、例えば、第２照明具３０ｅが照明器具１０ｅに取り付けられているときに電池着脱部４７１ｅと連通する貫通孔が形成されていることが望ましい。
【０１７３】
保持部材固定具５４は、保持部材５０を台座外側部４６７ｅに固定する部材である。保持部材固定具５４は、例えばネジ、リベット等である。保持部材固定具５４は、固定部５１に形成された固定孔５２と、台座外側部４６７ｅに形成された取付孔４６９ｅとに挿通される。
【０１７４】
（電池７０）
電池７０は、保持部材５０の保持部５３によって電池７０の下方が支持されて、電池７０の下方への移動が規制される。第１照明具２０が収容部１８から取り外され、外郭部４２ｅが台座部４５ｅから取り外された状態では、図５７に示すように、保持部材５０を弾性変形させることによって、作業者は電池７０を側方側に外すことができる。なお、図５７において、矢印Ｓは、電池７０、外郭部４２ｅ、又は、第１照明具２０を照明器具１０ｅに取り付ける方向を示すものであり、矢印Ｒは、電池７０、外郭部４２ｅ、又は第１照明具２０を照明器具１０ｅから取り外す方向を示すものである。
【０１７５】
＜照明装置１等の作用効果＞
照明装置１、照明装置１ｂ、照明装置１ｃ、照明装置１ｄ、照明装置１ｅの作用効果について説明する。なお、以下の説明では照明装置１についての作用効果について説明するが、特に説明のない限りこれらの作用効果は、照明装置１ｂ、照明装置１ｃ、照明装置１ｄ、照明装置１ｅにも適用される。
【０１７６】
以上のように、照明装置１は、第１照明具２０が照明器具１０に取り付けられた状態では、外郭部４２が、第２発光部であるレンズ部３１３と第１発光部である主部２２０とを隔てるように照明器具１０に配置されている。そのため、照明装置１は、照明器具１０において、第１照明具２０と第２照明具３０とを並べて配置することができる。照明装置１は、照明器具１０において、第１照明具２０と第２照明具３０とを並べて配置することができることで、長尺状の照明装置１では第１照明具２０と第２照明具３０とを照明装置１の短手方向（Ｙ軸方向）に並べて配置することができる。その結果、照明装置１を設計及び製造するにあたり、一般の照明装置及び一般の常用の照明具とは異なる長さ寸法に応じた設計及び製造が不要であり、経済性及び施工性に優れる非常用照明具を備えた照明装置１を提供することができる。同様に、照明装置１ｅは、第１照明具２０が照明器具１０ｅに取り付けられた状態では、外郭部４２ｅが、第２発光部であるレンズ部３１３と第１発光部である主部２２０とを隔てるように照明器具１０ｅに配置されている。そのため、照明装置１ｅは、照明器具１０ｅにおいて、第１照明具２０と第２照明具３０ｅとを並べて配置することができる。照明装置１ｅは、照明器具１０ｅにおいて、第１照明具２０と第２照明具３０ｅとを並べて配置することができることで、長尺状の照明装置１ｅでは第１照明具２０と第２照明具３０ｅとを照明装置１ｅの短手方向（Ｙ軸方向）に並べて配置することができる。その結果、照明装置１ｅを設計及び製造するにあたり、一般の照明装置及び一般の常用の照明具とは異なる長さ寸法に応じた設計及び製造が不要であり、経済性及び施工性に優れる非常用照明具を備えた照明装置１ｅを提供することができる。
【０１７７】
また、照明器具１０は、長尺状に形成されており、第１照明具２０と、第２照明具３０とは、照明器具１０の短手方向（Ｙ軸方向）に並んで配置されている。その結果、照明装置１を設計及び製造するにあたり、一般の照明装置及び一般の常用の照明具とは異なる長さ寸法に応じた設計及び製造が不要であり、経済性及び施工性に優れる非常用照明具を備えた照明装置１を提供することができる。
【０１７８】
また、第２照明具３０は、収容部１８の外側に配置されている。そのため、作業者は、照明器具１０に対する第１照明具２０の着脱の際に第２照明具３０を取り外す必要がない。その結果、作業者は、常用に用いられる第１照明具２０の着脱を行いやすく、照明装置１のメンテナンスを行いやすくなる。
【０１７９】
また、第２照明具３０は、照明器具１０に取り付けられている。第２照明具３０が照明器具１０に取り付けられていることで、作業者は、照明器具１０から第２照明具３０を取り外し、あるいは、照明器具１０に第２照明具３０を取り付けることができる。そのため、作業者は、第２照明具３０の修理及び交換を行うことができ、照明装置１のメンテナンスを行いやすくなる。
【０１８０】
また、外郭部４２は、遮光性の材料を用いて形成されている。そのため、照明装置１は、第２照明具３０から必要のない光が漏れることを防ぐことができる。同様に、外郭部４２ｅは、遮光性の材料を用いて形成されている。そのため、照明装置１ｅは、第２照明具３０ｅから必要のない光が漏れることを防ぐことができる。
【０１８１】
また、外郭部４２は、難燃性、又は不燃性の材料を用いて形成されている。そのため、照明装置１は、第１照明具２０の発熱による不具合が第２照明具３０に及ぶことを防ぐことができ、また、第２照明具３０の発熱による不具合が第１照明具２０に及びことを防ぐことができる。同様に、外郭部４２ｅは、難燃性、又は不燃性の材料を用いて形成されている。そのため、照明装置１ｅは、第１照明具２０の発熱による不具合が第２照明具３０ｅに及ぶことを防ぐことができ、また、第２照明具３０ｅの発熱による不具合が第１照明具２０に及びことを防ぐことができる。
【０１８２】
また、外郭部４２は、第２照明具３０に対して着脱自在に取り付けられる。そのため、作業者は、第２照明具３０のメンテナンスを行いやすくなる。同様に、外郭部４２ｅは、第２照明具３０ｅに対して着脱自在に取り付けられる。そのため、作業者は、第２照明具３０ｅのメンテナンスを行いやすくなる。
【０１８３】
また、第２照明具３０の最大寸法は、第１照明具２０の最大寸法よりも小さい。また、第１方向は、照明器具１０の長手方向であり、第２方向は、照明器具１０の短手方向である。そのため、照明装置１は、常用時に照明空間を照らす光の量を確保することができる。同様に、第２照明具３０ｅの最大寸法は、第１照明具２０の最大寸法よりも小さい。また、第１方向は、照明器具１０ｅの長手方向であり、第２方向は、照明器具１０ｅの短手方向である。そのため、照明装置１ｅは、常用時に照明空間を照らす光の量を確保することができる。
【０１８４】
また、第１照明具２０は、常用の照明具として機能し、第２照明具３０は、非常用の照明具として機能する。そのため、照明装置１は、商用電源等の電力が供給されている常用時の照明を行うことができると共に、停電等により照明装置１の外部から電力が供給されない非常時でも照明を行うことができる。同様に、第１照明具２０は、常用の照明具として機能し、第２照明具３０ｅは、非常用の照明具として機能する。そのため、照明装置１ｅは、商用電源等の電力が供給されている常用時の照明を行うことができると共に、停電等により照明装置１ｅの外部から電力が供給されない非常時でも照明を行うことができる。
【０１８５】
また、照明装置１は、第１空間である収容部１８と第２空間４５とが、外郭部４２によって隔てられている。照明装置１は、第１光源部２１の動作熱によって温度が上昇する第１空間の空気が、外郭部４２によって隔てられているために、第２空間４５に移動しない。そのため、照明装置１は、第２照明具３０が有する構成部品に対して熱的なストレスが加わらない。その結果、照明装置１は、非常用照明具が常用照明具の動作熱の影響を受け難い。同様に、照明装置１ｅは、第１空間である収容部１８と第２空間４５とが、外郭部４２ｅによって隔てられている。照明装置１ｅは、第１光源部２１の動作熱によって温度が上昇する第１空間の空気が、外郭部４２ｅによって隔てられているために、第２空間４５に移動しない。そのため、照明装置１ｅは、第２照明具３０ｅが有する構成部品に対して熱的なストレスが加わらない。その結果、照明装置１ｅは、非常用照明具が常用照明具の動作熱の影響を受け難い。
【０１８６】
また、照明装置１は、外郭部４２が遮光熱伝導性の材料を用いて形成されている。そのため、照明装置１は、外郭部４２を介して、第１光源部２１の動作熱によって温度が上昇する第１空間の空気の熱を伝熱することができ、照明装置１の外部に放散することができる。そのため、照明装置１は、第２照明具３０が有する構成部品に対して熱的なストレスが加わらない。その結果、照明装置１は、非常用照明具が常用照明具の動作熱の影響を受け難い。同様に、照明装置１ｅは、外郭部４２ｅが遮光熱伝導性の材料を用いて形成されている。そのため、照明装置１ｅは、外郭部４２ｅを介して、第１光源部２１の動作熱によって温度が上昇する第１空間の空気の熱を伝熱することができ、照明装置１ｅの外部に放散することができる。そのため、照明装置１ｅは、第２照明具３０ｅが有する構成部品に対して熱的なストレスが加わらない。その結果、照明装置１は、非常用照明具が常用照明具の動作熱の影響を受け難い。
【０１８７】
また、外郭部４２は、第１空間から被取付部９への伝熱経路として機能し、あるいは、第１空間から第１照明具２０又は第２照明具３０が照らす照明空間への伝熱経路として機能する。そのため、照明装置１は、第２照明具３０が有する構成部品に対して熱的なストレスが加わり難い。その結果、照明装置１は、非常用照明具が常用照明具の動作熱の影響を受け難い。同様に、外郭部４２ｅは、第１空間から被取付部９への伝熱経路として機能し、あるいは、第１空間から第１照明具２０又は第２照明具３０が照らす照明空間への伝熱経路として機能する。そのため、照明装置１ｅは、第２照明具３０ｅが有する構成部品に対して熱的なストレスが加わり難い。その結果、照明装置１は、非常用照明具が常用照明具の動作熱の影響を受け難い。
【０１８８】
また、外郭部４２は、第２空間４５から被取付部９への伝熱経路として機能し、あるいは、第２空間４５から第１照明具２０又は第２照明具３０が照らす照明空間への伝熱経路として機能する。そのため、照明装置１は、第２空間４５から外部に熱が放散されやすく、第２照明具３０が有する構成部品に対して熱的なストレスが加わり難い。その結果、照明装置１は、非常用照明具が常用照明具の動作熱の影響を受け難い。同様に外郭部４２ｅは、第２空間４５から被取付部９への伝熱経路として機能し、あるいは、第２空間４５から第１照明具２０又は第２照明具３０ｅが照らす照明空間への伝熱経路として機能する。そのため、照明装置１ｅは、第２空間４５から外部に熱が放散されやすく、第２照明具３０ｅが有する構成部品に対して熱的なストレスが加わり難い。その結果、照明装置１ｅは、非常用照明具が常用照明具の動作熱の影響を受け難い。
【０１８９】
また、照明装置１は、電池７０が筐体部４０内に配置された場合には、筐体部４０の内面に当接していると共に、筐体部４０に取り付けられている保持部材５０によって第２空間４５の内部に保持されている。そして、保持部材５０は、外郭部４２が台座部４４に取り付けられている状態では、外郭部４２が台座部４４に取り付けられていない状態よりも可動範囲が狭いものである。そのため、電池７０は、外郭部４２が台座部４４に取り付けられている状態では、保持部材５０によって確実に保持される。その結果、照明装置１は、簡易な構成でありながら非常用電源となる電池７０を確実に保持することができる。
【０１９０】
また、保持部材５０は、外郭部４２が台座部４４に取り付けられていない状態では、電池７０を着脱できる程度の可動範囲で弾性変形する。外郭部４２が基部４１から取り外されているときは、保持部５３は、弾性変形が許容されるため、作業者は、照明装置１に対して電池７０を簡単に着脱することができ、あるいは、脱着することができる。
【０１９１】
また、外郭部４２は、箱状に形成されていると共に、第２発光部であるレンズ部３１３と対向する位置には貫通孔である透光部貫通部４２３が形成されている。そのため、外郭部４２は、内部に収容した第２発光部を露出させることができ第２照明具３０の外郭を構成することができる。
【０１９２】
また、台座部４４は、電池７０が配置される位置に開口部４４ａを形成しており、外郭部４２が台座部４４に取り付けられている状態では、開口部４４ａの少なくとも一部は、外郭部４２に覆われる。開口部４４ａを覆う外郭部４２を取り外すことで開口部４４ａを露出させることができ、作業者は、開口部４４ａを介して照明装置１に対して電池７０を簡単に着脱することができ、あるいは、脱着することができる。同様に、台座部４５ｅは、電池７０が配置される位置に電池着脱部４７１ｅを形成しており、外郭部４２ｅが台座部４５ｅに取り付けられている状態では、電池着脱部４７１ｅの少なくとも一部は、外郭部４２ｅに覆われる。電池着脱部４７１ｅを覆う外郭部４２ｅを取り外すことで電池着脱部４７１ｅを露出させることができ、作業者は、電池着脱部４７１ｅを介して照明装置１に対して電池７０を簡単に着脱することができ、あるいは、脱着することができる。
【０１９３】
以上、本発明の実施の形態、及び変形例を説明したが、これらの実施の形態と変形例とを組み合わせて実施しても構わない。あるいは、これらの実施の形態と変形例のうち、１つを部分的に実施しても構わない。あるいは、これらの実施の形態と変形例とを部分的に組み合わせて実施しても構わない。なお、本発明は、これらの実施の形態、及び変形例に限定されるものではなく、必要に応じて種々の変更が可能である。
【符号の説明】
【０１９４】
１  照明装置、１ｂ  照明装置、１ｃ  照明装置、１ｄ  照明装置、１ｅ  照明装置、９  被取付部、１０  照明器具、１０ｂ  照明器具、１０ｃ  照明器具、１０ｄ  照明器具、１０ｅ  照明器具、１１  器具本体部、１１ｂ  器具本体部、１１ｃ  器具本体部、１１ｄ  器具本体部、１１ｅ  器具本体部、１２  器具端部、１２ｂ  器具端部、１２ｃ  器具端部、１２ｄ  器具端部、１２ｅ  器具端部、１３  器具側連結具、１４  器具側端子台、１５  器具側固定具、１６  器具側電力線、１８  収容部、２０  第１照明具、２１  第１光源部、２２  第１透光部、２３  電源部、２４  支持部、３０  第２照明具、３０ａ  第２照明具、３０ｅ  第２照明具、３１  第２光源部、３４  制御部、３６  操作部、３８  絶縁部、４０  筐体部、４０ａ  筐体部、４０ｅ  筐体部、４１  基部、４１ｅ  基部、４２  外郭部、４２ａ  開口部、４２ｅ  外郭部、４４  台座部、４４ａ  開口部、４５  第２空間、４５ｅ  台座部、４６ｅ  第１台座部、４６ｅ１  開口部、４８ｅ  第２台座部、５０  保持部材、５１  固定部、５２  固定孔、５３  保持部、５３ａ  保持部、５３ｂ  側壁固定部、５３ｂ１  側壁固定部、５３ｃ  保持曲折部、５３ｃ１  第１傾斜部、５３ｃ２  第２傾斜部、５４  保持部材固定具、６０  吊紐、７０  電池、７０ａ  電池、８０  第２照明具固定具、１１０  器具底部、１１０ｅ  器具底部、１１１  器具側部、１１１ｄ  器具側部、１１１ｅ  器具側部、１１２  通線孔、１１３  ネジ孔、１１４  器具傾斜部、１１４ｂ  器具傾斜部、１１４ｄ  器具傾斜部、１１４ｅ  器具傾斜部、１１５  器具貫通部、１１５ｂ  器具貫通部、１１５ｄ  器具貫通部、１１５ｅ  器具貫通部、１１６ｅ  第１貫通部、１１７  器具側縁部、１１７ｂ  器具側縁部、１１７ｃ  器具側縁部、１１７ｄ  器具側縁部、１１７ｅ  器具側縁部、１１８ｅ  第２貫通部、１２０  端板、１２０ｂ  端板、１２０ｃ  端板、１２１  ノックアウト部、１２１ｃ  ノックアウト部、１６０  電線部、１６１  コネクタ、２１０  第１光源基板、２１１  第１光源素子、２２０  主部、２２１  取付部、２２２  第１入射部、２２３  第１出射部、２２６  蓋部、２３０  ケース、２４０  基部、２４１  立設部、２４２  電源部配置部、３１０  第２光源基板、３１１  第２発光素子、３１２  第２透光部、３１３  レンズ部、３１４  第２入射部、３１５  第２出射部、３１６  取付部、３１７  保持部、３１７ｅ  保持部、３１８  保持主部、３１８ａ  側壁、３１８ｅ  保持主部、３１９  レンズ保持部、３２０  保持突起、３２１  装着ガイド、３２２  貫通孔、３２３  主部ネジ孔、３２４  保持副部、３２４ｅ  保持副部、３２５  副部ネジ孔、３２６  接続部、３２７  第２光源部固定具、３４０  制御基板、３４１  制御回路部品、３４２  ケース、３４３  第１ケース、３４３ａ  ケース底壁、３４３ｂ  ケース側壁、３４４  ネジ孔、３４５  第２ケース、３４６  制御部固定具、３６０  操作面部、３６１  操作ボタン、３６２  表示灯、３６３  操作部固定具、３８０  絶縁部ネジ孔、４１０  基部底部、４１０ｅ  基部底部、４１１  保持部材固定部、４１２  ネジ孔、４１３  取付孔、４１４  基部側部、４１４ｅ  基部側部、４１５  基部張出部、４１５ｅ  基部張出部、４１６  ネジ孔、４１���ｅ  ネジ孔、４２０  外郭主部、４２０ａ  外表面、４２０ｅ  外郭主部、４２１  第２透光部材配置部、４２１ｅ  第２透光部材配置部、４２２  段差部、４２２ｅ  段差部、４２３  透光部貫通部、４２３ｅ  透光部貫通部、４２４  ネジ孔、４２４ｅ  ネジ孔、４２５  操作部配置部、４２６  操作貫通部、４２７  外郭長手側部、４２７ｅ  外郭長手側部、４２８  外郭外側部、４２８ｅ  外郭外側部、４２９  外郭内側部、４２９ｅ  外郭内側部、４３０  切欠き部、４３１  外郭短手側部、４３１ｅ  外郭短手側部、４３２  外郭部固定具、４３４  ナット、４４０  第２光源部取付部、４４１  ネジ孔、４４２  ネジ孔、４４３  操作部取付部、４４４  ネジ孔、４４５  制御部取付部、４４６  ネジ孔、４４７  連結部、４６０ｅ  台座主部、４６１ｅ  操作部取付部、４６２ｅ  操作部貫通部、４６３ｅ  ネジ孔、４６４ｅ  制御部取付部、４６５ｅ  ネジ孔、４６６ｅ  台座長手側部、４６７ｅ  台座外側部、４６８ｅ  保持部材固定部、４６９ｅ  取付孔、４７０ｅ  台座内側部、４７１ｅ  電池着脱部、４７２ｅ  側部電線挿通孔、４７３ｅ  第１台座張出部、４７４ｅ  ネジ孔、４７５ｅ  台座短手側部、４８０ｅ  第２光源部取付部、４８１ｅ  ネジ孔、４８２ｅ  ネジ孔、４８３ｅ  台座固定部、４８４ｅ  ネジ孔、４８５  連結部、４８５ｅ  連結部、４８６  台座側部、４８６ｅ  台座側部、４８７ｅ  第２台座部固定具、４８８ｅ  主部装着開口、４８９ｅ  側部装着開口、４９０ｅ  主部電線挿通孔。
【図１】
2020057455.tif 000003
【図２】
2020057455.tif 000004
【図３】
2020057455.tif 000005
【図４】
2020057455.tif 000006
【図５】
2020057455.tif 000007
【図６】
2020057455.tif 000008
【図７】
2020057455.tif 000009
【図８】
2020057455.tif 000010
【図９】
2020057455.tif 000011
【図１０】
2020057455.tif 000012
【図１１】
2020057455.tif 000013
【図１２】
2020057455.tif 000014
【図１３】
2020057455.tif 000015
【図１４】
2020057455.tif 000016
【図１５】
2020057455.tif 000017
【図１６】
2020057455.tif 000018
【図１７】
2020057455.tif 000019
【図１８】
2020057455.tif 000020
【図１９】
2020057455.tif 000021
【図２０】
2020057455.tif 000022
【図２１】
2020057455.tif 000023
【図２２】
2020057455.tif 000024
【図２３】
2020057455.tif 000025
【図２４】
2020057455.tif 000026
【図２５】
2020057455.tif 000027
【図２６】
2020057455.tif 000028
【図２７】
2020057455.tif 000029
【図２８】
2020057455.tif 000030
【図２９】
2020057455.tif 000031
【図３０】
2020057455.tif 000032
【図３１】
2020057455.tif 000033
【図３２】
2020057455.tif 000034
【図３３】
2020057455.tif 000035
【図３４】
2020057455.tif 000036
【図３５】
2020057455.tif 000037
【図３６】
2020057455.tif 000038
【図３７】
2020057455.tif 000039
【図３８】
2020057455.tif 000040
【図３９】
2020057455.tif 000041
【図４０】
2020057455.tif 000042
【図４１】
2020057455.tif 000043
【図４２】
2020057455.tif 000044
【図４３】
2020057455.tif 000045
【図４４】
2020057455.tif 000046
【図４５】
2020057455.tif 000047
【図４６】
2020057455.tif 000048
【図４７】
2020057455.tif 000049
【図４８】
2020057455.tif 000050
【図４９】
2020057455.tif 000051
【図５０】
2020057455.tif 000052
【図５１】
2020057455.tif 000053
【図５２】
2020057455.tif 000054
【図５３】
2020057455.tif 000055
【図５４】
2020057455.tif 000056
【図５５】
2020057455.tif 000057
【図５６】
2020057455.tif 000058
【図５７】
2020057455.tif 000059